(57)【要約】【課題】内燃機関の出力の変動や失火の発生を防止しつつ、吸気カムの切替えを行なうことができる内燃機関の制御装置を提供する。【解決手段】低負荷運転時用の吸気カム１３Ｌと高負荷運転時用の吸気カム１３Ｈとを備え、内燃機関１の負荷に応じて、吸気バルブ８の実際の開閉駆動に用いる吸気カムを切替えることと、各吸気カムの位相角を変化させることとを行なう。吸気カム１３Ｌによる吸気バルブ８の開弁開始の位相角をＡ１とＡ２との間で内燃機関１の負荷の増加に伴い遅角方向に変化させ、吸気カム１３Ｈによる吸気バルブ８の開弁開始の位相角を、Ａ１とＡ２との間で内燃機関１の負荷の増加に伴い進角方向に変化させる。吸気カム１３Ｌ，１３Ｈの位相角を遅角側の所定の位相角に制御した状態で、吸気カムの切り替えを行なう。【選択図】図３
2012172531.tif 000002
【特許請求の範囲】
【請求項１】
吸気バルブを開閉駆動するために選択的に用いられる第１の吸気カム及び第２の吸気カムと、前記吸気バルブを実際に開閉駆動させる吸気カムである実駆動用吸気カムを第１の吸気カム及び第２の吸気カムのいずれか一方に選択的に切替えるバルブリフト可変機構と、クランク軸の位相角に対する第１及び第２の吸気カムの位相角を変化させるバルブ位相可変機構とを有し、第１及び第２の吸気カムのプロフィールが、第１の吸気カムにより前記吸気バルブを開閉駆動した場合の該吸気バルブのリフト量及び開弁期間の角度幅のそれぞれが、第２の吸気カムにより前記吸気バルブを開閉駆動した場合よりも大きくなるように設定された吸気バルブ駆動機構が備えられた内燃機関の制御装置であって、
前記第１及び第２の吸気カムのプロフィールは、第２の吸気カムによる前記吸気バルブの開弁期間の角度幅が上死点と下死点との間の角度幅よりも小さい角度幅になり、且つ、第１の吸気カムによる前記吸気バルブの開弁期間の角度幅が、第２の吸気カムによる前記吸気バルブの開弁期間の角度幅よりも、前記上死点と下死点との間の角度幅により近い角度幅になるように設定されていると共に、さらに、第１の吸気カムによる吸気バルブの開弁開始の位相角が上死点よりも遅角側で且つ下死点よりも進角側となる所定の第１遅角側開弁開始位相角に一致し、且つ、第２の吸気カムによる吸気バルブの開弁開始の位相角が上死点よりも遅角側で且つ下死点よりも進角側となる所定の第２遅角側開弁開始位相角に一致するように該第１の吸気カムの位相角と第２の吸気カムの位相角とを制御した状態である特定状態において、第１の吸気カムにより前記吸気バルブを開閉駆動した場合と、第２の吸気カムにより前記吸気バルブを開閉駆動した場合とで、それぞれの吸気カムによる吸気バルブの開弁期間において前記内燃機関の燃焼室に充填される空気量が互いに一致するように前記第１及び第２の吸気カムのプロフィールが設定されており、
前記第１及び第２の吸気カムのうちの第１の吸気カムを内燃機関の高負荷運転用の吸気カム、第２の吸気カムを内燃機関の低負荷運転用の吸気カムとして、前記実駆動用吸気カムを該内燃機関の負荷に応じて切替えるように前記バルブリフト可変機構を制御する吸気カム切替制御手段と、
前記第１及び第２の吸気カムのそれぞれによる吸気バルブの開閉駆動時において、前記実駆動用吸気カムの位相角を内燃機関の負荷に応じて変化させるように前記バルブ位相可変機構を制御するカム位相制御手段とを備え、
前記カム位相制御手段は、第１の吸気カムによる吸気バルブの開閉駆動時には、該吸気バルブの開弁開始の位相角が、前記第１遅角側開弁開始位相角よりも進角側の所定の第１進角側開弁開始位相角と該第１遅角側開弁開始位相角との間の範囲内で、内燃機関の負荷の増加に伴い、進角方向に変化していくように前記バルブリフト可変機構の制御を行うと共に、第２の吸気カムによる吸気バルブの開閉駆動時には、該吸気バルブの開弁開始の位相角が、前記第２遅角側開弁開始位相角よりも進角側の所定の第２進角側開弁開始位相角と該第２遅角側開弁開始位相角との間の範囲内で、内燃機関の負荷の増加に伴い、遅角方向に変化していくように前記バルブ位相可変機構の制御を行い、
前記吸気カム切替制御手段は、前記特定状態で前記実駆動用吸気カムの切り替えを行ない、
前記第１遅角側開弁開始位相角及び第１進角側開弁開始位相角は、前記第１の吸気カムにより吸気バルブを開閉駆動した場合に該吸気バルブの開弁期間で前記内燃機関の燃焼室に充填される空気量が、該第１遅角側開弁開始位相角と第１進角側開弁開始位相角との間の範囲内での該吸気バルブの開弁開始の位相角の進角方向への変化に伴い、増加していくようにあらかじめ設定され、
前記第２遅角側開弁開始位相角及び第２進角側開弁開始位相角は、前記第２の吸気カムにより吸気バルブを開閉駆動した場合に該吸気バルブの開弁期間で前記内燃機関の燃焼室に充填される空気量が、該第２遅角側開弁開始位相角と第２進角側開弁開始位相角との間の範囲内での該吸気バルブの開弁開始の位相角の遅角方向への変化に伴い、増加していくようにあらかじめ設定されていることを特徴とする内燃機関の制御装置。
【請求項２】
吸気バルブを開閉駆動するために選択的に用いられる第１の吸気カム及び第２の吸気カムと、前記吸気バルブを実際に開閉駆動させる吸気カムである実駆動用吸気カムを第１の吸気カム及び第２の吸気カムのいずれか一方に選択的に切替えるバルブリフト可変機構と、クランク軸の位相角に対する第１及び第２の吸気カムの位相角を変化させるバルブ位相可変機構とを有し、第１及び第２の吸気カムのプロフィールが、第１の吸気カムにより前記吸気バルブを開閉駆動した場合の該吸気バルブのリフト量及び開弁期間の角度幅のそれぞれが、第２の吸気カムにより前記吸気バルブを開閉駆動した場合よりも大きくなるように設定された吸気バルブ駆動機構が備えられた内燃機関の制御装置であって、
前記第１及び第２の吸気カムのプロフィールは、第１の吸気カムによる前記吸気バルブの開弁期間の角度幅が上死点と下死点との間の角度幅よりも大きい角度幅になり、且つ、第２の吸気カムによる前記吸気バルブの開弁期間の角度幅が、第１の吸気カムによる前記吸気バルブの開弁期間の角度幅よりも、前記上死点と下死点との間の角度幅により近い角度幅になるように設定されていると共に、さらに、第１の吸気カムによる吸気バルブの開弁開始の位相角と第２の吸気カムによる吸気バルブの開弁開始の位相角とが、上死点の位相角よりも進角側の所定の進角側開弁開始位相角で互いに一致するように該第１の吸気カムの位相角と第２の吸気カムの位相角とを制御した状態である特定状態において、第１の吸気カムにより前記吸気バルブを開閉駆動した場合と、第２の吸気カムにより前記吸気バルブを開閉駆動した場合とで、それぞれの吸気カムによる吸気バルブの開弁期間において前記内燃機関の燃焼室に充填される空気量が互いに一致するように前記第１及び第２の吸気カムのプロフィールが設定されており、
前記第１及び第２の吸気カムのうちの第１の吸気カムを内燃機関の低負荷運転用の吸気カム、第２の吸気カムを内燃機関の高負荷運転用の吸気カムとして、前記実駆動用吸気カムを該内燃機関の負荷に応じて切替えるように前記バルブリフト可変機構を制御する吸気カム切替制御手段と、
前記第１及び第２の吸気カムのそれぞれによる吸気バルブの開閉駆動時において、前記実駆動用吸気カムの位相角を内燃機関の負荷に応じて変化させるように前記バルブ位相可変機構を制御するカム位相制御手段とを備え、
前記カム位相制御手段は、第１の吸気カムによる吸気バルブの開閉駆動時には、該吸気バルブの開弁開始の位相角が、前記進角側開弁開始位相角と、該進角側開弁開始位相角よりも遅角側の所定の第１遅角側開弁開始位相角との間の範囲内で、内燃機関の負荷の増加に伴い、進角方向に変化していくように前記バルブリフト可変機構の制御を行うと共に、第２の吸気カムによる吸気バルブの開閉駆動時には、該吸気バルブの開弁開始の位相角が、前記進角側開弁開始位相角と該進角側開弁開始位相角よりも遅角側の所定の第２遅角側開弁開始位相角との間の範囲内で、内燃機関の負荷の増加に伴い、遅角方向に変化していくように前記バルブリフト可変機構の制御を行い、
前記吸気カム切替制御手段は、前記特定状態で前記実駆動用吸気カムの切り替えを行ない、
前記進角側開弁開始位相角及び第１遅角側開弁開始位相角は、前記第１の吸気カムにより吸気バルブを開閉駆動した場合に該吸気バルブの開弁期間で前記内燃機関の燃焼室に充填される空気量が、該進角側開弁開始位相角と第１遅角側開弁開始位相角との間の範囲内での該吸気バルブの開弁開始の位相角の進角方向への変化に伴い、増加していくようにあらかじめ設定され、
前記進角側開弁開始位相角及び第２遅角側開弁開始位相角は、前記第２の吸気カムにより吸気バルブを開閉駆動した場合に該吸気バルブの開弁期間で前記内燃機関の燃焼室に充填される空気量が、該進角側開弁開始位相角と第２遅角側開弁開始位相角との間の範囲内での該吸気バルブの開弁開始の位相角の遅角方向への変化に伴い、増加していくようにあらかじめ設定されていることを特徴とする内燃機関の制御装置。
【発明の詳細な説明】
【技術分野】
【０００１】
本発明は、吸気バルブの開弁期間やリフト量を変更可能とした内燃機関の制御装置に関する。
【背景技術】
【０００２】
例えば特許文献１に見られる如く、吸気バルブを開閉駆動するために用いる吸気カムとして、吸気バルブの開弁期間の角度幅及びリフト量を規定するプロフィールが互いに異なる複数の吸気カムを備えると共に、クランク軸（内燃機関の出力軸）の位相角に対する吸気カムの位相角を所定の角度範囲内で変化させることができるようにしたものが従来より知られている。
【０００３】
この種の内燃機関では、吸気バルブを実際に開閉駆動するために用いる吸気カムを、ＶＴＥＣ（登録商標）等と言われるバルブリフト可変機構によって選択的に切り替えることで、吸気バルブの開弁期間の角度幅及びリフト量を可変的に変更する。
【０００４】
さらに、ＶＴＣ等と言われるバルブ位相可変機構によって、クランク軸（内燃機関の出力軸）の位相角に対する吸気カムの位相角を連続的に変化させることで、各吸気カムによる吸気バルブの開弁期間の位相角（開弁開始の位相角と開弁終了の位相角との組）を変化させる。
【０００５】
例えば、特許文献１のものでは、３つの吸気カムを備え、内燃機関の負荷に応じて、これらの吸気カムの切り替えと、各吸気カムの位相角の変更とを行なうようにしている。この場合、内燃機関の負荷が高いほど、吸気バルブの開弁期間の角度幅及びリフト量が大きくなるように、吸気カムの切り替えが行なわれる。また、各吸気カムによる吸気バルブの開閉駆動時には、内燃機関の負荷が増加するに伴い、吸気バルブの開弁開始の位相角が、上死点（ＴＤＣ）の位相角よりも進角側の位相角から上死点の位相角に近づいていくように、各吸気カムの位相角の変更が行なわれる。
【先行技術文献】
【特許文献】
【０００６】
【特許文献１】特開２００５−１８０３０６号公報
【発明の概要】
【発明が解決しようとする課題】
【０００７】
特許文献１に見られるものでは、吸気バルブを開閉駆動する吸気カムの切り替え時に、吸気バルブの開弁期間の角度幅及びリフト量の小さい低負荷側の吸気カムの位相角は、それにより規定される吸気バルブの開弁開始の位相角が上死点（ＴＤＣ）の位相角にほぼ一致するような位相角に制御されると共に、吸気バルブの開弁期間の角度幅及びリフト量の大きい高負荷側の吸気カムの位相角は、それにより規定される吸気バルブの開弁開始の位相角が上死点（ＴＤＣ）の位相角よりも大きく進角するような位相角に制御される。
【０００８】
この場合、吸気カムの切り替え時に伴う内燃機関の出力の段差を少なくすることは可能であるものの、吸気カムの切り替えを行なう負荷の近辺で、高負荷側の吸気カムにより吸気バルブを開閉駆動する状況では、排気行程で吸気バルブが比較的大きな開度で開弁することとなるため、該排気行程の次の吸気行程で燃焼室に空気と共に充填される排ガスの量が急変しやすい。ひいては、失火等が生じて、内燃機関の出力性能が低下する恐れがある。
【０００９】
本発明はかかる背景に鑑みてなされたものであり、内燃機関の出力の変動や失火の発生を防止しつつ、吸気カムの切替えを行なうことができる内燃機関の制御装置を提供することを目的とする。
【課題を解決するための手段】
【００１０】
本発明の内燃機関の制御装置の第１の態様は、上記の目的を達成するために、吸気バルブを開閉駆動するために選択的に用いられる第１の吸気カム及び第２の吸気カムと、前記吸気バルブを実際に開閉駆動させる吸気カムである実駆動用吸気カムを第１の吸気カム及び第２の吸気カムのいずれか一方に選択的に切替えるバルブリフト可変機構と、クランク軸の位相角に対する第１及び第２の吸気カムの位相角を変化させるバルブ位相可変機構とを有し、第１及び第２の吸気カムのプロフィールが、第１の吸気カムにより前記吸気バルブを開閉駆動した場合の該吸気バルブのリフト量及び開弁期間の角度幅のそれぞれが、第２の吸気カムにより前記吸気バルブを開閉駆動した場合よりも大きくなるように設定された吸気バルブ駆動機構が備えられた内燃機関の制御装置であって、
前記第１及び第２の吸気カムのプロフィールは、第２の吸気カムによる前記吸気バルブの開弁期間の角度幅が上死点と下死点との間の角度幅よりも小さい角度幅になり、且つ、第１の吸気カムによる前記吸気バルブの開弁期間の角度幅が、第２の吸気カムによる前記吸気バルブの開弁期間の角度幅よりも、前記上死点と下死点との間の角度幅により近い角度幅になるように設定されていると共に、さらに、第１の吸気カムによる吸気バルブの開弁開始の位相角が上死点よりも遅角側で且つ下死点よりも進角側となる所定の第１遅角側開弁開始位相角に一致し、且つ、第２の吸気カムによる吸気バルブの開弁開始の位相角が上死点よりも遅角側で且つ下死点よりも進角側となる所定の第２遅角側開弁開始位相角に一致するように該第１の吸気カムの位相角と第２の吸気カムの位相角とを制御した状態である特定状態において、第１の吸気カムにより前記吸気バルブを開閉駆動した場合と、第２の吸気カムにより前記吸気バルブを開閉駆動した場合とで、それぞれの吸気カムによる吸気バルブの開弁期間において前記内燃機関の燃焼室に充填される空気量が互いに一致するように前記第１及び第２の吸気カムのプロフィールが設定されており、
前記第１及び第２の吸気カムのうちの第１の吸気カムを内燃機関の高負荷運転用の吸気カム、第２の吸気カムを内燃機関の低負荷運転用の吸気カムとして、前記実駆動用吸気カムを該内燃機関の負荷に応じて切替えるように前記バルブリフト可変機構を制御する吸気カム切替制御手段と、
前記第１及び第２の吸気カムのそれぞれによる吸気バルブの開閉駆動時において、前記実駆動用吸気カムの位相角を内燃機関の負荷に応じて変化させるように前記バルブ位相可変機構を制御するカム位相制御手段とを備え、
前記カム位相制御手段は、第１の吸気カムによる吸気バルブの開閉駆動時には、該吸気バルブの開弁開始の位相角が、前記第１遅角側開弁開始位相角よりも進角側の所定の第１進角側開弁開始位相角と該第１遅角側開弁開始位相角との間の範囲内で、内燃機関の負荷の増加に伴い、進角方向に変化していくように前記バルブリフト可変機構の制御を行うと共に、第２の吸気カムによる吸気バルブの開閉駆動時には、該吸気バルブの開弁開始の位相角が、前記第２遅角側開弁開始位相角よりも進角側の所定の第２進角側開弁開始位相角と該第２遅角側開弁開始位相角との間の範囲内で、内燃機関の負荷の増加に伴い、遅角方向に変化していくように前記バルブ位相可変機構の制御を行い、
前記吸気カム切替制御手段は、前記特定状態で前記実駆動用吸気カムの切り替えを行ない、
前記第１遅角側開弁開始位相角及び第１進角側開弁開始位相角は、前記第１の吸気カムにより吸気バルブを開閉駆動した場合に該吸気バルブの開弁期間で前記内燃機関の燃焼室に充填される空気量が、該第１遅角側開弁開始位相角と第１進角側開弁開始位相角との間の範囲内での該吸気バルブの開弁開始の位相角の進角方向への変化に伴い、増加していくようにあらかじめ設定され、
前記第２遅角側開弁開始位相角及び第２進角側開弁開始位相角は、前記第２の吸気カムにより吸気バルブを開閉駆動した場合に該吸気バルブの開弁期間で前記内燃機関の燃焼室に充填される空気量が、該第２遅角側開弁開始位相角と第２進角側開弁開始位相角との間の範囲内での該吸気バルブの開弁開始の位相角の遅角方向への変化に伴い、増加していくようにあらかじめ設定されていることを特徴とする（第１発明）。
【００１１】
なお、本発明において、第１の吸気カム又は第２の吸気カムの位相角、あるいは、吸気バルブの開弁開始もしくは開弁終了の位相角というのは、内燃機関のクランク軸（出力軸）の位相角（回転角度位置）に対する位相角、すなわち、クランク軸のある回転角度位置（例えばピストンの上死点又は下死点に相当する回転角度位置）を基準として表現される相対的な角度を意味する。そして、吸気バルブの開弁期間の角度幅というのは、開弁開始の位相角と開弁終了の位相角との差を意味する。これらのことは、後述する第２発明についても同様である。
【００１２】
上記第１発明によれば、内燃機関の低負荷運転用の吸気カムとしての第２の吸気カムによる吸気バルブの開閉駆動時には、該第２の吸気カムによる吸気バルブの開弁開始の位相角を、前記第２遅角側開弁開始位相角と第２進角側開弁開始位相角との間の範囲内で、内燃機関の負荷の増加に伴い、遅角方向に変化させていくように前記バルブ位相可変機構が制御される。
【００１３】
この場合、前記第２の吸気カムによる吸気バルブの開弁期間の角度幅は、上死点と下死点との間の角度幅（１８０deg）よりも小さいので、該吸気バルブの開弁終了の位相角が、下死点よりも進角側の位相角となるような状態を実現できる。このため、第２の吸気カムによる吸気バルブの開弁駆動時に、実効圧縮比が膨張比よりも小さくなるアトキンソンサイクル（ミラーサイクル）での内燃機関の運転を実現できる。
【００１４】
そして、前記第２遅角側開弁開始位相角及び第２進角側開弁開始位相角を適切に設定しておくことによって、第２の吸気カムによる吸気バルブの開弁開始の位相角を第２進角側開弁開始位相角から第２遅角側開弁開始位相角に向って遅角方向に変化させていく（ひいては、吸気バルブの開弁期間の全体を遅角方向に変化させていく）ことに伴い、該吸気バルブの開弁終了の位相角を下死点の位相角に向って進角側から近づけていくようにしつつ、吸気バルブの開弁期間で内燃機関の燃焼室に充填される空気量を増加させていくようにすることができる。ひいては、内燃機関の負荷の増加に合せて実効圧縮比を増加させていくことができることとなる。
【００１５】
また、内燃機関の高負荷運転用の吸気カムとしての第１の吸気カムによる吸気バルブの開閉駆動時には、該第１の吸気カムによる吸気バルブの開弁開始の位相角を前記第１遅角側開弁開始位相角と第１進角側開弁開始位相角との間の範囲内で、内燃機関の負荷の増加に伴い、進角方向に変位させていくように前記バルブ位相可変機構が制御される。
【００１６】
この場合、前記第１の吸気カムによる吸気バルブの開弁期間の角度幅は、第２の吸気カムによる前記吸気バルブの開弁期間の角度幅よりも大きいので、該吸気バルブの開弁終了の位相角が、下死点よりも遅角側の位相角となるような状態を実現できる。このため、第１の吸気カムによる吸気バルブの開弁駆動時にも、実効圧縮比が膨張比よりも小さくなるアトキンソンサイクル（ミラーサイクル）での内燃機関の運転を実現できる。
【００１７】
そして、前記第１遅角側開弁開始位相角及び第１進角側開弁開始位相角を適切に設定しておくことによって、第１の吸気カムによる吸気バルブの開弁開始の位相角を第１遅角側開弁開始位相角から第１進角側開弁開始位相角に向って進角方向に変化させていく（ひいては、吸気バルブの開弁期間の全体を進角方向に変化させていく）ことに伴い、該吸気バルブの開弁終了の位相角を下死点の位相角に向って遅角側から近づけていくようにしつつ、吸気バルブの開弁期間で内燃機関の燃焼室に充填される空気量を増加させていくようにすることができる。ひいては、内燃機関の負荷の増加に合せて実効圧縮比を増加させていくことができることとなる。
【００１８】
さらに、第１発明においては、前記吸気カム切替制御手段は、前記特定状態で前記実駆動用吸気カムの切り替えを行なう。この特定状態での第２の吸気カムによる吸気バルブの開弁開始の位相角は、前記第２進角側開弁開始位相角と前記第２遅角側開弁開始位相角との間の範囲で最も遅角側の位相角（すなわち、第２遅角側開弁開始位相角）である。また、前記特定状態での第１の吸気カムによる吸気カムの開弁期間は、前記第１進角側開弁開始位相角と前記第１遅角側開弁開始位相角との間の範囲で最も遅角側の位相角（すなわち、遅角側開弁開始位相角）である。
【００１９】
そして、該特定状態では、第１の吸気カムにより前記吸気バルブを開閉駆動した場合と、第２の吸気カムにより前記吸気バルブを開閉駆動した場合とで、それぞれの吸気カムによる吸気バルブの開弁期間において前記内燃機関の燃焼室に充填される空気量が互いに一致する。
【００２０】
このため、内燃機関の負荷の増加中、又は負荷の減少中に、前記特定状態で、各吸気カムの位相角の急激な変化を生じることなく、実駆動用吸気カムの切り替えを迅速に行なうことができると共に、この切り替えの前後で、内燃機関の燃焼室に充填される空気量が不連続的に変化するようなことを防止できることとなる。ひいては、内燃機関の出力トルクの変動が抑制される。
【００２１】
また、実駆動用吸気カムの切り替え時における吸気バルブの開弁開始の位相角、すなわち、前記第１遅角側開弁開始位相角又は第２遅角側開弁開始位相角は、上死点と下死点との間の位相角であるので、実駆動用吸気カムの切り替えの前後で、吸気バルブの開弁期間に燃焼室に空気と共に充填される排ガス（ＥＧＲ装置により還流する排ガス）の量が急変するようなことが回避される。ひいては、失火の発生が防止される。
【００２２】
従って、第１発明によれば、内燃機関の出力の変動や失火の発生を防止しつつ、吸気カムの切替えを行なうことができる。また、内燃機関の負荷の増減に合せて、燃焼室の実効圧縮比を増減させることができるので、内燃機関の負荷の変化に対する内燃機関のスロットル弁の開度の変化量を少なくし、該スロットル弁の開度を内燃機関の幅広い負荷範囲において、大きめの開度に維持することが可能となる。このため、内燃機関の熱効率を高め、燃料消費を抑制することができる。
【００２３】
なお、第１発明において、第１遅角側開弁開始位相角と第２遅角側開弁開始位相角とは、互いに異なる位相角でよいことはもちろんであるが、互いに同じ位相角であってもよい。同様に、第１進角側開弁開始位相角と第２進角側開弁開始位相角とは、互いに異なる位相角、互いに同じ位相角のいずれであってもよい。
【００２４】
次に、本発明の内燃機関の制御装置の第２の態様は、上記の目的を達成するために、吸気バルブを開閉駆動するために選択的に用いられる第１の吸気カム及び第２の吸気カムと、前記吸気バルブを実際に開閉駆動させる吸気カムである実駆動用吸気カムを第１の吸気カム及び第２の吸気カムのいずれか一方に選択的に切替えるバルブリフト可変機構と、クランク軸の位相角に対する第１及び第２の吸気カムの位相角を変化させるバルブ位相可変機構とを有し、第１及び第２の吸気カムのプロフィールが、第１の吸気カムにより前記吸気バルブを開閉駆動した場合の該吸気バルブのリフト量及び開弁期間の角度幅のそれぞれが、第２の吸気カムにより前記吸気バルブを開閉駆動した場合よりも大きくなるように設定された吸気バルブ駆動機構が備えられた内燃機関の制御装置であって、
前記第１及び第２の吸気カムのプロフィールは、第１の吸気カムによる前記吸気バルブの開弁期間の角度幅が上死点と下死点との間の角度幅よりも大きい角度幅になり、且つ、第２の吸気カムによる前記吸気バルブの開弁期間の角度幅が、第１の吸気カムによる前記吸気バルブの開弁期間の角度幅よりも、前記上死点と下死点との間の角度幅により近い角度幅になるように設定されていると共に、さらに、第１の吸気カムによる吸気バルブの開弁開始の位相角と第２の吸気カムによる吸気バルブの開弁開始の位相角とが、上死点の位相角よりも進角側の所定の進角側開弁開始位相角で互いに一致するように該第１の吸気カムの位相角と第２の吸気カムの位相角とを制御した状態である特定状態において、第１の吸気カムにより前記吸気バルブを開閉駆動した場合と、第２の吸気カムにより前記吸気バルブを開閉駆動した場合とで、それぞれの吸気カムによる吸気バルブの開弁期間において前記内燃機関の燃焼室に充填される空気量が互いに一致するように前記第１及び第２の吸気カムのプロフィールが設定されており、
前記第１及び第２の吸気カムのうちの第１の吸気カムを内燃機関の低負荷運転用の吸気カム、第２の吸気カムを内燃機関の高負荷運転用の吸気カムとして、前記実駆動用吸気カムを該内燃機関の負荷に応じて切替えるように前記バルブリフト可変機構を制御する吸気カム切替制御手段と、
前記第１及び第２の吸気カムのそれぞれによる吸気バルブの開閉駆動時において、前記実駆動用吸気カムの位相角を内燃機関の負荷に応じて変化させるように前記バルブ位相可変機構を制御するカム位相制御手段とを備え、
前記カム位相制御手段は、第１の吸気カムによる吸気バルブの開閉駆動時には、該吸気バルブの開弁開始の位相角が、前記進角側開弁開始位相角と、該進角側開弁開始位相角よりも遅角側の所定の第１遅角側開弁開始位相角との間の範囲内で、内燃機関の負荷の増加に伴い、進角方向に変化していくように前記バルブリフト可変機構の制御を行うと共に、第２の吸気カムによる吸気バルブの開閉駆動時には、該吸気バルブの開弁開始の位相角が、前記進角側開弁開始位相角と該進角側開弁開始位相角よりも遅角側の所定の第２遅角側開弁開始位相角との間の範囲内で、内燃機関の負荷の増加に伴い、遅角方向に変位させていくように前記バルブリフト可変機構の制御を行い、
前記吸気カム切替制御手段は、前記特定状態で前記実駆動用吸気カムの切り替えを行ない、
前記進角側開弁開始位相角及び第１遅角側開弁開始位相角は、前記第１の吸気カムにより吸気バルブを開閉駆動した場合に該吸気バルブの開弁期間で前記内燃機関の燃焼室に充填される空気量が、該進角側開弁開始位相角と第１遅角側開弁開始位相角との間の範囲内での該吸気バルブの開弁開始の位相角の進角方向への変化に伴い、増加していくようにあらかじめ設定され、
前記進角側開弁開始位相角及び第２遅角側開弁開始位相角は、前記第２の吸気カムにより吸気バルブを開閉駆動した場合に該吸気バルブの開弁期間で前記内燃機関の燃焼室に充填される空気量が、該進角側開弁開始位相角と第２遅角側開弁開始位相角との間の範囲内での該吸気バルブの開弁開始の位相角の遅角方向への変化に伴い、増加していくようにあらかじめ設定されていることを特徴とする（第２発明）。
【００２５】
かかる第２発明によれば、内燃機関の低負荷運転用の吸気カムとしての第１の吸気カムによる吸気バルブの開閉駆動時には、該第１の吸気カムによる吸気バルブの開弁開始の位相角を前記進角側開弁開始位相角と前記第１遅角側開弁開始位相角との間の範囲内で、内燃機関の負荷の増加に伴い、進角方向に変化させていくように前記バルブ位相可変機構が制御される。
【００２６】
この場合、前記第１の吸気カムによる吸気バルブの開弁期間の角度幅は、上死点と下死点との間の角度幅（１８０deg）よりも大きいので、該吸気バルブの開弁終了の位相角が、下死点よりも遅角側の位相角となるような状態を実現できる。このため、第１の吸気カムによる吸気バルブの開弁駆動時に、実効圧縮比が膨張比よりも小さくなるアトキンソンサイクル（ミラーサイクル）での内燃機関の運転を実現できる。
【００２７】
そして、前記進角側開弁開始位相角及び第１遅角側開弁開始位相角を適切に設定しておくことによって、第１の吸気カムによる吸気バルブの開弁開始の位相角を第１遅角側開弁開始位相角から進角側開弁開始位相角に向って進角方向に変化させていく（ひいては、吸気バルブの開弁期間の全体を進角方向に変化させていく）ことに伴い、該吸気バルブの開弁終了の位相角を下死点の位相角に向って遅角側から近づけていくようにしつつ、吸気バルブの開弁期間で内燃機関の燃焼室に充填される空気量を増加させていくようにすることができる。ひいては、内燃機関の負荷の増加に合せて実効圧縮比を増加させていくことができることとなる。
【００２８】
また、内燃機関の高負荷運転用の吸気カムとしての第２の吸気カムによる吸気バルブの開閉駆動時には、該第２の吸気カムによる吸気バルブの開弁開始の位相角を前記進角側開弁開始制限位相角と前記第２遅角側開弁開始位相角との間の範囲内で、内燃機関の負荷の増加に伴い、遅角方向に変位させていくように前記バルブ位相可変機構が制御される。
【００２９】
この場合、前記第２の吸気カムによる吸気バルブの開弁期間の角度幅は、第２の吸気カムによる前記吸気バルブの開弁期間の角度幅よりも小さいので、該吸気バルブの開弁終了の位相角が、下死点よりも進角側の位相角となるような状態を実現できる。このため、第２の吸気カムによる吸気バルブの開弁駆動時にも、実効圧縮比が膨張比よりも小さくなるアトキンソンサイクル（ミラーサイクル）での内燃機関の運転を実現できる。
【００３０】
そして、前記進角側開弁開始位相角及び第２遅角側開弁開始位相角を適切に設定しておくことによって、第２の吸気カムによる吸気バルブの開弁開始の位相角を進角側開弁開始位相角から第２遅角側開弁開始位相角に向って遅角方向に変化させていく（ひいては、吸気バルブの開弁期間の全体を遅角方向に変化させていく）ことに伴い、該吸気バルブの開弁終了の位相角を下死点の位相角に向って進角側から近づけていくようにしつつ、吸気バルブの開弁期間で内燃機関の燃焼室に充填される空気量を増加させていくようにすることができる。ひいては、内燃機関の負荷の増加に合せて実効圧縮比を増加させていくことができることとなる。
【００３１】
さらに、第２発明においては、前記吸気カム切替制御手段は、前記特定状態で前記実駆動用吸気カムの切り替えを行なう。この特定状態での第１の吸気カムによる吸気バルブの開弁開始の位相角は、前記進角側開弁開始位相角と前記第１遅角側開弁開始位相角との間の範囲で最も進角側の位相角（すなわち、進角側開弁開始位相角）である。また、前記特定状態での第２の吸気カムによる吸気カムの開弁期間は、前記進角側開弁開始位相角と前記２遅角側開弁開始位相角との間の範囲で最も進角側の位相角（すなわち、進角側開弁開始位相角）である。
【００３２】
そして、該特定状態では、第１の吸気カムにより前記吸気バルブを開閉駆動した場合と、第２の吸気カムにより前記吸気バルブを開閉駆動した場合とで、それぞれの吸気カムの開弁期間において前記内燃機関の燃焼室に充填される空気量が互いに一致する。
【００３３】
このため、内燃機関の負荷の増加中、又は負荷の減少中に、前記特定状態で、各吸気カムの位相角の急激な変化を生じることなく、実駆動用吸気カムの切り替えを迅速に行なうことができると共に、この切り替えの前後で、内燃機関の燃焼室に充填される空気量が不連続的に変化するようなことを防止できることとなる。ひいては、内燃機関の出力トルクの変動が抑制される。
【００３４】
また、実駆動用吸気カムの切り替え時における吸気バルブの開弁開始の位相角、すなわち、前記進角側開弁開始位相角は、実駆動用吸気カムの切り替えの前後で変化しないので、該切り替えの前後で、吸気バルブの開弁期間に燃焼室に空気と共に充填される排ガス（ＥＧＲ装置により還流する排ガスあるいは吸気行程の直前の排気行程で燃焼室から排出される排ガス）の量が急変するようなことが回避される。ひいては、失火の発生が防止される。
【００３５】
従って、第２発明によれば、第１発明と同様に、内燃機関の出力の変動や失火の発生を防止しつつ、吸気カムの切替えを行なうことができる。また、内燃機関の負荷の増減に合せて、燃焼室の実効圧縮比を増減させることができるので、内燃機関の負荷の変化に対する内燃機関のスロットル弁の開度の変化量を少なくし、該スロットル弁の開度を内燃機関の幅広い負荷範囲において、大きめの開度に維持することが可能となる。このため、内燃機関の熱効率を高め、燃料消費を抑制することができる。
【００３６】
なお、第２発明において、第１遅角側開弁開始位相角と第２遅角側開弁開始位相角とは、互いに異なる位相角でよいことはもちろんであるが、互いに同じ位相角であってもよい。
【図面の簡単な説明】
【００３７】
【図１】本発明の第１実施形態における内燃機関およびこれに付帯するシステムの構成を示す図。
【図２】図１に示す内燃機関の吸気バルブ及び排気バルブに関する構成を模式的に示す図。
【図３】図１に示す内燃機関の吸気バルブの駆動特性を示すグラフ。
【図４】図３の吸気バルブの駆動特性によって実現される現象を示す図。
【図５】図１に示す内燃機関の排気バルブの駆動特性を示すグラフ。
【図６】図１に示す電子制御装置の処理を示すフローチャート。
【図７】図６のＳＴＥＰ１の処理で使用するマップを示す図。
【図８】図６のＳＴＰＥ２の処理で使用するマップを示す図。
【図９】図６のＳＴＰＥ２の処理で使用するマップを示す図。
【図１０】図６のＳＴＰＥ２の処理で使用するマップを示す図。
【図１１】図６のＳＴＥＰ４の処理のうち、実効圧縮比に関する制御処理を示すフローチャート。
【図１２】図１１のＳＴＥＰ１２，１５の処理で使用するマップを示す図。
【図１３】図１１のＳＴＰＥ１２，１５の処理で使用するマップを示す図。
【図１４】第１実施形態における作動を説明するためのグラフ。
【図１５】本発明の第２実施形態における内燃機関の吸気バルブの駆動特性を示すグラフ。
【図１６】第２実施形態における図１１のＳＴＥＰ１２，１５の処理で使用するマップを示す図。
【図１７】第２実施形態における図１１のＳＴＰＥ１２，１５の処理で使用するマップを示す図。
【発明を実施するための形態】
【００３８】
［第１実施形態］
本発明の第１実施形態を以下に説明する。図１及び図２を参照して、本実施形態のシステムは、車両に走行用の動力源として搭載された内燃機関１と、この内燃機関１の運転制御を行う電子制御装置５０とを備えている。
【００３９】
内燃機関１は、本実施形態では、例えば４気筒の内燃機関である。但し、内燃機関１の気筒数は、４個である必要はない。例えば内燃機関１は、単気筒もしくは６気筒の内燃機関であってもよい。
【００４０】
この内燃機関１の吸気系は、各気筒２の燃焼室３で燃焼させる燃料と混合する空気（新気）を、全気筒２に対して共通の吸気通路４と各気筒２の燃焼室３の吸気ポートに連通するインテークマニホールド５とを順に経由して各気筒２の燃焼室３に供給するように構成されている。
【００４１】
この場合、吸気通路４には、これに外部から流入する空気中（大気中）の不要物を除去するエアクリーナ６と、空気の流量を調整するためのスロットル弁７とが上流側から順に介装されている。スロットル弁７は、電動式のスロットル弁であり、その開度が図示しない電動モータを介して制御される。
【００４２】
そして、各気筒２の燃焼室３の吸気ポートを開閉するための吸気バルブ８と、該吸気バルブ８を開閉駆動する吸気バルブ駆動機構９とが内燃機関１に付設されている。
【００４３】
本実施形態では、内燃機関１の各気筒２の燃焼室３の実効圧縮比を可変的に制御可能なアトキンソンサイクル（ミラーサイクル）での内燃機関１の運転を実現するするために、吸気バルブ駆動機構９は、吸気バルブ８の開弁期間の位相角を変化させるための公知のバルブ位相可変機構１０（所謂、ＶＴＣと言われる機構）と、吸気バルブ８のリフト量（最大開度）と開弁期間の角度幅とを変化させるための公知のバルブリフト可変機構１１（所謂、ＶＴＥＣ（登録商標）と言われる機構）とを有する構成とされている。
【００４４】
なお、吸気バルブ８の開弁期間の角度幅というのは、吸気バルブ８の開弁開始から開弁終了までの開弁期間を、内燃機関１の出力軸であるクランク軸１２の回転角度幅で表したもの、すなわち、吸気バルブ８の開弁開始時のクランク軸１２の位相角（回転角度位置）と吸気バルブ８の開弁終了時のクランク軸１２の位相角との間の角度差である。また、吸気バルブ８の開弁期間の位相角というのは、該開弁期間の全体がクランク軸１２のどの位相角の範囲に存在するかを代表的に示す位相角を意味し、例えば吸気バルブ８の開弁開始の位相角（開弁開始時のクランク軸１２の位相角）又は吸気バルブ８の開弁終了の位相角（開弁終了時のクランク軸１２の位相角）により表される。
【００４５】
詳細な構成の図示は省略するが、上記吸気バルブ駆動機構９の概略的な構成は次の通りである。すなわち、図２を参照して、吸気バルブ駆動機構９は、上記バルブ位相可変機構１０及びバルブリフト可変機構１１を備えると共に、各気筒２毎に、２つの吸気カム１３Ｌ，１３Ｈを備えており、これらの吸気カム１３Ｌ，１３Ｈは、吸気側カムシャフト１４と一体に回転するようにして該吸気側カムシャフト１４に軸支されている。
【００４６】
上記吸気カム１３Ｌ，１３Ｈのプロフィール（形状パターン）は、吸気バルブ８のリフト量と開弁期間の角度幅との組が互いに異なるものとなるように設定されている。
【００４７】
これらの吸気カム１３Ｌ，１３Ｈのプロフィールは、図３に実線ａ，ｄで示す如く、吸気カム１３Ｈによる吸気バルブ８のリフト量及び開弁期間の角度幅のそれぞれが、吸気カム１３Ｌよる吸気バルブ８のリフト量及び開弁期間の角度幅よりも大きくなるように設定されている（以降、吸気カム１３Ｈを大リフト吸気カム１３Ｈ、吸気カム１３Ｌを小リフト吸気カム１３Ｌということがある）。なお、図３の横軸のクランク角度は、クランク軸１２の位相角を意味する。
【００４８】
この場合、大リフト吸気カム１３Ｈによる吸気バルブ８の開弁期間の角度幅は、小リフト吸気カム１３Ｌよる吸気バルブ８の開弁期間の角度幅よりも、各気筒２のピストン１５の上死点の位相角と下死点の位相角との間の角度差（＝１８０deg）により近い角度幅に設定されている。より詳しくは、大リフト吸気カム１３Ｈによる吸気バルブ８の開弁期間の角度幅は、例えば、上死点の位相角と下死点の位相角との間の角度差（＝１８０deg）よりも若干大きい角度幅（例えば１９０deg程度）に設定されている。
【００４９】
また、小リフト吸気カム１３Ｌによる吸気バルブ８の開弁期間の角度幅は、上死点の位相角と下死点の位相角との間の角度差（＝１８０deg）よりも小さく、例えば、１００deg程度に設定されている。
【００５０】
そして、吸気バルブ駆動機構９は、吸気バルブ８をロッカアーム１６を介して実際に開閉駆動する吸気カム（以降、実駆動用吸気カムという）を、油圧式のバルブリフト可変機構１１によって、小リフト吸気カム１３Ｌと、大リフト吸気カム１３Ｈとのいずれか一方に選択的に切替えるように構成されている。この場合、小リフト吸気カム１３Ｌは、内燃機関１の低負荷運転用の吸気カムとして用いられ、大リフト吸気カム１３Ｈは、内燃機関１の高負荷運転用の吸気カムとして用いられる。
【００５１】
上記バルブリフト可変機構１１は、公知の構造のものであり、例えば特開２００５−１８０３０６号公報の図２に示されるものと同様の構成のものが採用される。但し、バルブリフト可変機構１１は、実駆動用吸気カムを、小リフト吸気カム１３Ｌと大リフト吸気カム１３Ｈとのいずれか一方に選択的に切替えることができる機構であれば他の構成のものを採用してもよい。
【００５２】
また、吸気カム１３Ｌ，１３Ｈを軸支する吸気側カムシャフト１４は、内燃機関１のクランク軸１２に連動して回転する（クランク軸１２の２回転毎に１回転する）ように該クランク軸１２にタイミングベルト（図示省略）を介して接続された油室形成部材に（図示省略）に軸支されており、その回転方向での該油室形成部材に対する吸気側カムシャフト１４の位相角（角度位置）を所定の角度範囲内で変化させることが可能となっている。
【００５３】
これにより、クランク軸１２の位相角に対する吸気側カムシャフト１４の位相角、ひいては小リフト吸気カム１３Ｌと大リフト吸気カム１３Ｈの位相角を所定の角度範囲内で連続的に変化させることが可能となっている。
【００５４】
そして、吸気バルブ駆動機構９は、クランク軸１２の位相角に対する吸気側カムシャフト１４の位相角（ひいてはクランク軸１２の位相角に対する小リフト吸気カム１３Ｌ及び大リフト吸気カム１３Ｈの位相角）を、油圧式のバルブ位相可変機構１０によって変化させるように構成されている。この構成によって、図３に示す如く、小リフト吸気カム１３Ｌ及び大リフト吸気カム１３Ｈのそれぞれによる吸気バルブ８の開弁期間の位相角を所定の範囲で連続的に変化させることができるようになっている。
【００５５】
上記バルブ位相可変機構は、公知の構造のものであり、例えば、特開２００５−１８０３０６号公報の図３に示されるものと同様の構成のものが採用される。但し、バルブ位相可変機構は、クランク軸１２の位相角に対する小リフト吸気カム１３Ｌ及び大リフト吸気カム１３Ｈの位相角を所定の範囲で連続的に変化させることができる機構であれば他の構成のものを採用してもよい。
【００５６】
ここで、吸気カム１３Ｌ，１３Ｈのプロフィールと、吸気カム１３Ｌ，１３Ｈの位相角の変化及び吸気カム１３Ｌ，１３Ｈの切り替えとによって実現される吸気バルブ８の開弁形態についてさらに詳細に説明する。
【００５７】
本実施形態では、吸気カム１３Ｌ，１３Ｈは、吸気側カムシャフト１４と一体に回転するので、吸気カム１３Ｌ，１３Ｈの相互の位相関係、ひいては、それぞれの吸気カム１３Ｌ，１３Ｈによる吸気バルブ８の開弁期間の相互の位相関係は一定に保たれる。
【００５８】
なお、本実施形態の例では、吸気カム１３Ｌ，１３Ｈの相互の位相関係は、図３に示す如く、それぞれの吸気カム１３Ｌ，１３Ｈによる吸気バルブ８の開弁開始の位相角が互いに同じ位相角となるように設定されているが、吸気カム１３Ｌ，１３Ｈによる吸気バルブ８の開弁開始の位相角がある程度、異なっていてもよい。
【００５９】
そして、本実施形態では、吸気カム１３Ｌ，１３Ｈの位相角の変化（ひいては、各吸気カム１３Ｌ，１３Ｈによる吸気バルブ３の開弁期間の位相角の変化）は、図３の実線ａ，ｄで示す状態と、図３の破線ｂ，ｃで示す状態との間の範囲で行なわれるようになっている。
【００６０】
図３の実線ａ，ｄで示す状態は、吸気カム１３Ｌ，１３Ｈの位相角が最も進角側に制御された状態である。この状態での吸気バルブ８の開弁開始の位相角は、本実施形態の例では、上死点に近接した所定の位相角Ａ１に設定されている。この位相角Ａ１は、上死点の位相角との差の大きさが、吸気カム１３Ｌ，１３Ｈのそれぞれによる吸気バルブ８の開弁期間の角度幅に比して十分に微小なものとなるような所定の位相角であり、例えば上死点の位相角から１０deg程度、進角側の角度である。
【００６１】
なお、吸気カム１３Ｌ，１３Ｈのそれぞれによる吸気バルブ８の開弁期間の角度幅と、図３の実線ａ，ｄで示す状態での吸気バルブ８の開弁開始の位相角Ａ１とが前記した如く設定されているので、小リフト吸気カム１３Ｌに関する図３の実線ａの状態では、吸気バルブ８の開弁終了の位相角Ａ３は、下死点の位相角よりも進角側の位相角（本実施形態では、下死点の位相角から９０deg程度、進角側の位相角）に設定されることとなる。また、大リフト吸気カム１３Ｈに関する図３の実線ｄの状態では、吸気バルブ８の開弁終了の位相角は、下死点に近接した位相角（下死点の位相角との差の大きさが、大リフト吸気カム１３Ｈによる吸気バルブ８の開弁期間の角度幅に比して十分に微小なものとなるような位相角。本実施形態では、下死点と同じ位相角）に設定されることとなる。
【００６２】
また、図３の破線ｂ，ｃで示す状態は、吸気カム１３Ｌ，１３Ｈの位相角が最も遅角側に制御された状態である。この状態での吸気バルブ８の開弁開始の位相角は、吸気カム１３Ｌ，１３Ｈにいずれについても、上死点の位相角よりも遅角側で、且つ、下死点の位相角よりも進角側の所定の位相角Ａ２に設定される。
【００６３】
この位相角Ａ２は、本実施形態では、図３の実線ａ，ｄで示す状態での吸気バルブ８の開弁開始の位相角Ａ１から例えば６０deg程度だけ遅角させた位相角（従って、上死点から５０deg程度だけ遅角した位相角）に設定されている。
【００６４】
このため、大リフト吸気カム１３Ｈに関する図３の破線ｃで示す状態では、吸気バルブ８の開弁終了の位相角は、下死点の位相角よりも遅角側の位相角とされ、小リフト吸気カム１３Ｌに関する図３の破線ｂで示す状態では、吸気バルブ８の開弁終了の位相角は、下死点よりも進角側の位相角とされている。
【００６５】
本実施形態では、以上の如く、吸気カム１３Ｌ，１３Ｈのプロフィールや、吸気バルブ８の開弁開始の位相角Ａ１，Ａ２が設定されている。このため、吸気バルブ８を開閉駆動する実駆動用吸気カム１３Ｌ又は１３Ｈをバルブリフト可変機構１１により切り替え、あるいは、吸気カム１３Ｌ，１３Ｈの位相角をバルブ位相可変機構１０によって変化させる（ひいては吸気バルブ８の開弁形態のパターンを上記の如く変化させる）ことによって、各気筒２の燃焼室３に充填される空気量（詳しくは、ストッロル弁７の開度を一定とした場合の空気量）、ひいては、該燃焼室３の実効圧縮比を可変的に設定することが可能となっている。
【００６６】
例えば、小リフト吸気カム１０Ｌにより吸気バルブ８を開閉駆動する場合に、小リフト吸気カム１３Ｌの位相角を、図３の実線ａの状態での位相角（最も進角側の位相角）から破線ｂの状態での位相角（最も遅角側の位相角）に向って連続的に変化させることによって、図４に示す如く、燃焼室３に充填される上記空気量が連続的に増加する。これにより、各気筒２の燃焼室３の実効圧縮比を連続的に増加させていくことができることとなる。
【００６７】
より詳しくは、本実施形態では、小リフト吸気カム１３Ｌによる吸気バルブ８の開閉駆動時には、小リフト吸気カム１３Ｌの位相角を進角側から遅角側に変化させるに伴い、吸気バルブ８の開弁終了の位相角が、下死点の位相角よりも進角側の位相角から、該下死点の位相角に近づいていくようになっている。このため、小リフト吸気カム１３Ｌによる吸気バルブ８の開閉駆動時に、実効圧縮比が膨張比よりも小さくなるアトキンソンサイクル（ミラーサイクル）での内燃機関１の運転が実現される。同時に、小リフト吸気カム１３Ｌの位相角を進角側から遅角側に変化させることに伴い、各気筒２の燃焼室３に充填される上記空気量、ひいては、実効圧縮比が増加していくこととなる。
【００６８】
また、大リフト吸気カム１３Ｈにより吸気バルブ８を開閉駆動する場合に、大リフト吸気カム１３Ｈの位相角を、図３の破線ｃの状態での位相角（最も遅角側の位相角）から実線ｄの状態での位相角（最も進角側の位相角）に向って連続的に変化させることによって、図４に示す如く、各気筒２の燃焼室３に充填される上記空気量が連続的に増加する。これにより、各気筒２の燃焼室３の実効圧縮比を連続的に増加させていくことができることとなる。
【００６９】
より詳しくは、本実施形態では、大リフト吸気カム１３Ｈによる吸気バルブ８の開閉駆動時には、大リフト吸気カム１３Ｈの位相角を遅角側から進角側に変化させるに伴い、吸気バルブ８の開弁終了の位相角が、下死点の位相角よりも遅角側の位相角から、該下死点の位相角に近づいていくようになっている。このため、大リフト吸気カム１３Ｈによる吸気バルブ８の開閉駆動時にも、実効圧縮比が膨張比よりも小さくなるアトキンソンサイクル（ミラーサイクル）での内燃機関１の運転が実現される。同時に、大リフト吸気カム１３Ｈの位相角を遅角側から進角側に変化させることに伴い、各気筒２の燃焼室３に充填される上記空気量、ひいては、実効圧縮比が増加していくこととなる。
【００７０】
なお、本実施形態では、図３の実線ｄの状態では、吸気バルブ８の開弁開始及び開弁終了が、それぞれ上死点、下死点とほぼ同じ位相角で行なわれることとなることから、実効圧縮比が膨張比とほぼ同一となるオットーサイクルでの内燃機関１の運転が実現されることとなる。
【００７１】
また、本実施形態では、吸気カム１３Ｌ，１３Ｈのそれぞれの位相角を最も遅角側の位相角に制御した状態、すなわち、吸気カム１３Ｌ，１３Ｈによる吸気バルブ８の開弁期間が図３の破線ｂ，ｃで示す開弁期間となる状態では、実駆動用吸気カムとして小リフト吸気カム１３Ｌを使用した場合と、大リフト吸気カム１３Ｈを使用した場合とのいずれの場合であっても、スロットル弁７の開度を一定とした場合に各気筒２の燃焼室３に充填される空気量、ひいては、該燃焼室３の実効圧縮比が、互いに同一もしくはほぼ同一となるように、吸気カム１３Ｌ，１３Ｈのプロフィールが設定されている。
【００７２】
このため、吸気カム１３Ｌ，１３Ｈの位相角を、図３の破線ｂ，ｃの状態に対応する最も遅角側の位相角に制御した状態で、実駆動用吸気カムを吸気カム１３Ｌ，１３Ｈの一方から他方に切替えるようにすることで、実駆動用吸気カムの切り替え時に、各気筒２の燃焼室３に充填される空気量をほぼ一定に保つ（実効圧縮比をほぼ一定に保つ）ことができるようになっている。
【００７３】
なお、小リフト吸気カム１３Ｌを使用する場合よりも大リフト吸気カム１３Ｈを使用する場合の方が、実効圧縮比をより高めることができる。このため、小リフト吸気カム１３Ｌは、内燃機関１の低負荷運転時の実駆動用吸気カムとして使用され、大リフト吸気カム１３Ｈは、内燃機関１の高負荷運転時の実駆動用吸気カムとして使用される。
【００７４】
図１の説明に戻って、内燃機関１の排気系は、各気筒２の燃焼室３で生成される排ガスを、各気筒２の燃焼室３の排気ポートに連通するエギゾーストマニホールド１７と、全気筒２に対して共通の排気通路１８とを順に経由して排気するように構成されている。この場合、排気通路１８には、排ガス浄化用の触媒１９が介装されている。
【００７５】
そして、各気筒２の燃焼室３の排気ポートを開閉するための排気バルブ２０と、該排気バルブ２０を開閉駆動する排気バルブ駆動機構２１とが内燃機関１に付設されている。
【００７６】
この排気バルブ駆動機構２１は、内燃機関１のクランク軸１２に連動して回転する（クランク軸１２の２回転毎に１回転する）排気側カムシャフト２２に、これと一体に回転自在に軸支された排気カム２３を各気筒２毎に備えており、この排気カム２３により、ロッカアーム２４を介して排気バルブ２０を開閉駆動する。
【００７７】
この場合、排気カム２３のプロフィール（形状パターン）は、それにより規定される排気バルブ２０の開弁期間及びリフト量が、例えば図５に示すようなパターンとなるように設定されている。このパターンでは、排気バルブ２０の開弁期間の角度幅が、各気筒２のピストン１４の下死点の位相角と上死点の位相角との間の角度差（１８０deg）よりも若干大きい角度幅に設定される。そして、排気バルブ２０の開弁開始の位相角と開弁終了の位相角とは、それぞれ下死点の位相角よりも若干進角側の位相角、上死点の位相角よりも若干遅角側の位相角に設定される。
【００７８】
上記の如く構成された内燃機関１の吸気系及び排気系には、さらにＥＧＲ装置２５が付設されている。
【００７９】
ＥＧＲ装置２５は、排ガスの一部を吸気側に還流させ、その還流させた排ガスを各気筒２の燃焼室３に空気（燃料と混合する新気）と共に供給する装置であり、排気通路１８の上流端部（エギゾーストマニホールド１７との接続箇所近辺）から分流されてインテークマニホールド５に合流されたＥＧＲ通路２７（還流される排ガスの通路）を備えている。
【００８０】
このＥＧＲ通路２７には、吸気側に還流させる排ガスを冷却する排ガス冷却手段としてのＥＧＲクーラ２８と、該排ガスの流量を制御するための電動式又は電磁式の流量制御弁２９（以下、ＥＧＲ弁２９という）とが介装され、ＥＧＲ弁２９の開度を制御することで、ＥＧＲ率（燃焼室３に供給する空気と排ガスとの総量に対する排ガス量の割合い）を制御することが可能となっている。
【００８１】
また、内燃機関１には、各気筒２の燃焼室３で燃焼させる燃料を供給する燃料供給装置の構成要素として各気筒２毎に設けられた燃料噴射弁３３が付設されている。この燃料噴射弁３３には、図示しない燃料タンクからポンプ等により昇圧された燃料（例えばガソリン）が供給されるようになっている。
【００８２】
燃料噴射弁３３は、本実施形態では、ポート噴射型のものであり、図２に示す如くインテークマニホールド５に取り付けられている。そして、燃料噴射弁３３は、その開弁時間を制御することで、燃料噴射量（燃焼室３への燃料供給量）を制御することが可能となっている。なお、燃料噴射弁３３ａは直噴型のものであってもよい。
【００８３】
また、内燃機関１には、各気筒２の燃焼室３で圧縮される混合気に点火する点火装置の構成要素として各気筒３毎に設けられた点火プラグ４０が付設されている。
【００８４】
点火プラグ４０は、図２に示すように各気筒２の燃焼室３の頂部に装着され、所要のタイミングで図示しないディストリビュータから高電圧が供給されて火花放電を発生する。
【００８５】
以上が本実施形態のシステム（内燃機関１及びこれに付帯するシステム）の機構的な構成である。
【００８６】
電子制御装置５０は、ＣＰＵ、ＲＡＭ、ＲＯＭ等を含む電子回路ユニットであり、前記スロットル弁７、吸気バルブ駆動機構９のバルブ位相可変機構１０及びバルブリフト可変機構１１、ＥＧＲ装置２５のＥＧＲ弁２９、燃料噴射弁３３、点火プラグ４０の動作を制御する。
【００８７】
これらの制御を担う電子制御装置５０には、各種のセンサの検出信号が入力される。本実施形態のシステムでは、以下に示すようなセンサが備えられており、これらのセンサの検出信号が電子制御装置５０に入力される。
【００８８】
すなわち、本実施形態のシステムでは、内燃機関１のクランク軸１２の回転数ＮＥ（回転速度）を検出するための信号（詳しくは、クランク軸１２の所定の回転角度毎に発生するパルス信号）を出力する回転数センサ５１が内燃機関１に付設されている。
【００８９】
また、吸気通路４を流れる空気の流量Ｑを検出する空気流量センサ５２と、スロットル弁７に流入する空気の圧力Ｐ２を検出する圧力センサ５３とが吸気通路４に設けられている。
【００９０】
さらに、本実施形態のシステムには、図示を省略する車両のアクセルペダルの踏み込み量（以下、アクセル操作量という）を検出するアクセルセンサ５４が備えられている。
【００９１】
次に、本実施形態のシステムの作動を説明する。前記電子制御装置５０は、内燃機関１の運転を制御するために、図６のフローチャートに示す制御処理を実行する。
【００９２】
図６のフローチャートに示す制御処理は、内燃機関１の各気筒２の燃焼室３に供給される空気量を制御するために、前記吸気バルブ駆動機構９の動作状態（詳しくは、実駆動用吸気カムとして用いる吸気カムの種類（大リフト吸気カム１３Ｈ又は小リフト吸気カム１３Ｌ）、並びに、実駆動用吸気カム１３Ｌ又は１３Ｈの位相角と、ＥＧＲ装置２５のＥＧＲ弁２９の開度と、スロット弁７の開度（以下、スロットル開度という）とを制御するための処理である。この場合、吸気バルブ駆動機構９の動作状態の制御処理は、各気筒２の燃焼室３の実効圧縮比を制御するための処理であり、ＥＧＲ弁２９の開度の制御処理は、ＥＧＲ率を制御するための処理である。
【００９３】
図６のフローチャートに示す制御処理では、電子制御装置５０は、まず、ＳＴＥＰ１で、吸気通路４の空気流量Ｑの目標値である目標空気量を決定する。
【００９４】
具体的には、電子制御装置５０は、内燃機関１の要求トルク（出力トルクの目標値）と、回転数センサ５１の出力により認識される回転数ＮＥの計測値とから、図７に示す如く設定されたマップ（要求トルクと回転数ＮＥと目標空気量との間の関係を規定するマップ）に基づいて、要求トルクを実現するために必要な目標空気量を決定する。
【００９５】
図７に示すマップの基本的傾向は、要求トルクが大きいほど、目標空気量が大きくなり、また、回転数ＮＥが高いほど、目標空気量が大きくなるように設定されている。なお、要求トルクは、前記アクセルセンサ５４の出力により認識されるアクセル操作量の計測値から、あるいは、該アクセル操作量の計測値と車速の計測値とから、図示しないマップに基づき決定される。この場合、基本的には、要求トルクは、アクセル操作量が大きいほど、大きくなるように決定される。
【００９６】
次いで、ＳＴＥＰ２に進んで、電子制御装置５０は、目標空気量を実現するための実効圧縮比の目標値と、ＥＧＲ率の目標値と、スロットル開度の目標値とを設定する。
【００９７】
具体的には、電子制御装置５０は、ＳＴＥＰ１で決定した目標空気量と、前記圧力センサ５３の出力により認識される圧力Ｐ２（スロットル弁７に流入する空気の圧力）の計測値と、内燃機関１の回転数ＮＥの計測値とから図８に示す如く設定されたマップ（目標空気量と圧力Ｐ２と回転数ＮＥと実効圧縮比の目標値との間の関係を規定するマップ）に基づいて、実効圧縮比の目標値を設定する。図８に示すマップの基本的な傾向は、目標空気量が大きいほど、実効圧縮比の目標値が増加し、また、圧力Ｐ２が大きいほど、実効圧縮比の目標値が減少するように設定されている。
【００９８】
また、電子制御装置５０は、目標空気量と、圧力Ｐ２の計測値と、回転数ＮＥの計測値とから図９に示す如く設定されたマップ（目標空気量と圧力Ｐ２と回転数ＮＥとＥＧＲ率の目標値との間の関係を規定するマップ）に基づいて、ＥＧＲ率の目標値を設定する。図９に示すマップの基本的な傾向は、目標空気量が大きいほど、ＥＧＲ率の目標値が減少し、また、圧力Ｐ２が大きいほど、ＥＧＲ率の目標値が増加するように設定されている。
【００９９】
また、電子制御装置５０は、目標空気量と、圧力Ｐ２の計測値と、回転数ＮＥの計測値とから図１０に示す如く設定されたマップ（目標空気量と圧力Ｐ２と回転数ＮＥとスロットル開度の目標値との間の関係を規定するマップ）に基づいて、スロットル開度の目標値を設定する。図１０に示すマップの基本的な傾向は、目標空気量が大きいほど、スロットル開度の目標値が増加し、また、圧力Ｐ２が大きいほど、スロットル開度の目標値が減少し、また、回転数ＮＥが高いほど、スロットル開度の目標値が増加するように設定されている。
【０１００】
なお、前記目標空気量は、内燃機関１の要求トルクが高いほど、大きくなるように設定されるので、図８のマップを用いて決定される前記実効圧縮比の目標値は、結果的に、該要求トルクが高いほど（換言すれば、内燃機関１の負荷が高いほど）、該実効圧縮比の目標値が大きくなるような特性で決定されることなる。
【０１０１】
また、図９のマップを用いて決定される前記ＥＧＲ率の目標値は、結果的に、該要求トルクが高いほど（内燃機関１の負荷が高いほど）、該ＥＧＲ率の目標値が小さくなるような特性で決定されることなる。
【０１０２】
また、図１０のマップを用いて決定される前記スロットル開度の目標値は、結果的に、該要求トルクが高いほど、該スロットル開度の目標値が大きくなるような特性で決定されることなる。
【０１０３】
次いで、ＳＴＥＰ３に進んで、電子制御装置５０は、前記空気流量センサ５２の出力により認識される空気流量Ｑの計測値が、ＳＴＥＰ１で決定した目標空気量に一致するか否かを判断する。なお、ここで空気流量Ｑの計測値が目標空気量に一致するというのは、厳密に等しいということを意味するものではなく、それらの差の絶対値がある所定値以下に収まる状態を意味する。
【０１０４】
このＳＴＥＰ３の判断結果が肯定的である場合には、電子制御装置５０は、図６のフローチャートの今回の処理を終了し、次回の演算処理周期まで待機する。この場合には、吸気バルブ駆動機構９の動作状態と、ＥＧＲ弁２９の開度と、スロット開度とは現状の状態に維持される。
【０１０５】
一方、ＳＴＥＰ３の判断結果が否定的である場合には、電子制御装置５０は、ＳＴＥＰ４の処理を実行する。このＳＴＥＰ４では、電子制御装置５０は、実際の空気流量Ｑ（計測値）を目標空気量に近づけるように、実際の実効圧縮比と、実際のＥＧＲ率と、実際のスロットル開度とを現状の状態から変更する。
【０１０６】
そして、電子制御装置５０は、ＳＴＥＰ３と同じ判断処理をＳＴＥＰ４に続くＳＴＥＰ５で実行し、このＳＴＥＰ５の判断結果が肯定的となるまで、ＳＴＥＰ４の処理を繰り返す。
【０１０７】
この場合、上記のように繰り返されるＳＴＥＰ４の処理はより具体的には次のように行なわれる。すなわち、ＳＴＥＰ３の次の最初のＳＴＥＰ４の処理では、前記吸気バルブ駆動機構９の実際の動作状態と、ＥＧＲ弁２９の実際の開度と、実際のスロットル開度とが、それぞれ、ＳＴＥＰ２で設定した実効圧縮比の目標値に応じて決定した基準の動作状態、ＳＴＥＰ２で設定したＥＧＲ率の目標値に応じて決定したＥＧＲ弁２９の基準の開度、ＳＴＥＰ２で設定したスロットル開度の目標値に制御される。
【０１０８】
この場合、吸気バルブ駆動機構９の基準の動作状態は、ＳＴＥＰ２で設定した実効圧縮比の目標値を実現するための動作状態であり、該目標値に応じて、あらかじめ設定されたマップ等により決定される。また、ＥＧＲ弁２９の基準の開度は、ＳＴＥＰ２で設定したＥＧＲ率の目標値を実現するための開度であり、該目標値に応じて、あらかじめ設定されたマップ等により決定される。
【０１０９】
そして、ＳＴＥＰ５の判断処理で空気流量Ｑが目標空気量よりも小さい場合におけるＳＴＥＰ４の処理では、実効圧縮比を所定量だけ増やすように吸気バルブ駆動機構９の実際の動作状態を現在の動作状態から変更することと、ＥＧＲ弁２９の実際の開度を現在の開度から所定量だけ減少させる（ひいてはＥＧＲ率を減少させる）ことと、実際のスロットル開度を現在の開度から所定量だけ増加させることとが実行される。
【０１１０】
また、ＳＴＥＰ５の判断処理で空気流量Ｑが目標空気量よりも大きい場合におけるＳＴＥＰ４の処理では、実効圧縮比を所定量だけ減らすように吸気バルブ駆動機構９の実際の動作状態を現在の動作状態から変更することと、ＥＧＲ弁２９の実際の開度を現在の開度から所定量だけ増加させる（ひいてはＥＧＲ率を増加させる）ことと、実際のスロットル開度を現在の開度から所定量だけ減少させることとが実行される。
【０１１１】
このようにして、上記ＳＴＥＰ４の処理を繰り返すことによって、吸気バルブ駆動機構９の実際の動作状態と、ＥＧＲ弁２９の実際の開度と、実際のスロットル開度とが、それぞれ、実効圧縮比の目標値に対応する基準の動作状態、ＥＧＲ率の目標値に対応する基準の開度、スロットル開度の目標値の近辺で調整される。これにより、実際の空気流量Ｑ（計測値）が目標空気量に一致するように、吸気バルブ駆動機構９の実際の動作状態と、ＥＧＲ弁２９の実際の開度と、実際のスロットル開度とがそれぞれ制御されることとなる。
【０１１２】
以上が、図６のフローチャートの処理の詳細である。
【０１１３】
ここで、上記ＳＴＥＰ４における吸気バルブ駆動機構９の動作状態の制御について、さらに詳細に説明する。
【０１１４】
上記ＳＴＥＰ４における吸気バルブ駆動機構９の動作状態の制御は、より具体的には、図１１のフローチャートに示す制御処理によって実行される。
【０１１５】
すなわち、電子制御装置５０は、ＳＴＥＰ１１において、要求実効圧縮比とバルブリフト可変機構１１の現在の動作状態とを取得する。
【０１１６】
この場合、前記ＳＴＥＰ３の次の最初のＳＴＥＰ４の処理では、前記ＳＴＥＰ２で決定された実効圧縮比の目標値が、上記要求実効圧縮比として取得される。また、ＳＴＥＰ５の判断結果が否定的である場合に実行されるＳＴＥＰ４の処理では、ＳＴＥＰ５の判断処理の直前のＳＴＥＰ４の処理（１つ前のＳＴＥＰ４の処理）で取得した要求実効圧縮比（以降、直前の要求実効圧縮比という）を所定量だけ補正してなる値である。
【０１１７】
より詳しくは、ＳＴＥＰ５の判断処理で空気流量Ｑが目標空気量よりも小さい場合に、ＳＴＥＰ１１の処理で取得される要求実効圧縮比は、直前の要求実効圧縮比から所定量だけ増加させた値の圧縮比であり、ＳＴＥＰ５の判断処理で空気流量Ｑが目標空気量よりも大きい場合に、ＳＴＥＰ１１の処理で取得される要求実効圧縮比は、直前の要求実効圧縮比から所定量だけ減少させた値の圧縮比である。
【０１１８】
また、ＳＴＥＰ１１で取得されるバルブリフト可変機構１１の現在の動作状態は、具体的には、現在の実駆動用吸気カムが、小リフト吸気カム１３Ｌ又は大リフト吸気カム１３Ｈのいずれの吸気カムであるかを示すものである。
【０１１９】
次いで、ＳＴＥＰ１２に進んで、電子制御装置５０は、実駆動用吸気カム１３Ｌ又は１３Ｈの位相角としてのＶＴＣ角度の目標値を設定する。
【０１２０】
具体的には、電子制御装置５０は、ＳＴＥＰ１１で取得した要求実効圧縮比から、図１２又は図１３に示す如くあらかじめ設定されたマップ（要求実効圧縮比とＶＴＣ角度の目標値との間の関係を規定するマップ）に基づいて、ＶＴＣ角度の目標値を設定する。
【０１２１】
ＳＴＥＰ１２で使用する上記マップは、現在の実駆動用吸気カムが、小リフト吸気カム１３Ｌである場合と、大リフト吸気カム１３Ｈである場合とで各別に用意されている。そして、現在の実駆動用吸気カムが小リフト吸気カム１３Ｌである場合には、図１２に示すマップに基づいてＶＴＣ角度の目標値が設定され、現在の実駆動用吸気カムが大リフト吸気カム１３Ｈである場合には、図１３に示すマップに基づいてＶＴＣ角度の目標値が設定される。
【０１２２】
この場合、図１２に示すマップの傾向は、要求実効圧縮比が比較的低い側の領域（内燃機関１の低負荷領域）において、小リフト吸気カム１３ＬのＶＴＣ角度が、要求実効圧縮比の増加に伴い（内燃機関１の負荷の増加に伴い）、最も進角側の位相角である最進角（図３の実線ａで示す状態での小リフト吸気カム１３Ｌの位相角）から、最も遅角側の位相角である最遅角（図３の破線ｂで示す状態での小リフト吸気カム１３Ｌの位相角）まで遅角方向に変化していくように設定されている。
【０１２３】
また、図１３に示すマップの傾向は、要求実効圧縮比が比較的高い側の領域において、大リフト吸気カム１３ＨのＶＴＣ角度が、要求実効圧縮比の増加に伴い（内燃機関１の負荷の増加に伴い）、最も遅角側の位相角である最遅角（図３の破線ｃで示す状態での大リフト吸気カム１３Ｈの位相角）から、最も進角側の位相角である最進角（図３の破線ｄで示す状態での大リフト吸気カム１３Ｈの位相角）まで進角方向に変化していくように設定されている。
【０１２４】
ここで、ＳＴＥＰ１２において、現在の実駆動用吸気カムが小リフト吸気カム１３Ｌである場合には、ＳＴＥＰ１１で取得した要求実効圧縮比が、図１２のマップにおいて最遅角に対応する実効圧縮比Ｂａよりも大きい場合には、ＶＴＣ角度の目標値を図１２のマップに基づいて設定することができない。
【０１２５】
同様に、ＳＴＥＰ１２において、現在の実駆動用吸気カムが大リフト吸気カム１３Ｈである場合には、ＳＴＥＰ１１で取得した要求実効圧縮比が、図１３のマップにおいて最遅角に対応する実効圧縮比Ｂｂよりも小さい場合には、ＶＴＣ角度の目標値を設定することができない。
【０１２６】
そこで、電子制御装置５０は、次に、ＳＴＥＰ１３において、ＶＴＣ角度の目標を設定不能であるか否かを判断する。この判断結果は、現在の実駆動用吸気カムが小リフト吸気カム１３Ｌであり、且つ、要求実効圧縮比＞Ｂａとなる場合と、現在の実駆動用吸気カムが大リフト吸気カム１３Ｈであり、且つ、要求実効圧縮比＜Ｂｂとなる場合とで肯定的となり、これら以外の場合では、否定的となる。
【０１２７】
そして、ＳＴＰＥ１３の判断結果が否定的である場合（ＳＴＥＰ１２においてＶＴＣ角度の目標値を正常に設定できた場合）には、ＳＴＥＰ１６に進む。このＳＴＥＰ１６では、電子制御装置５０は、実際のＶＴＣ角度を、設定したＶＴＣ角度の目標値に一致させるように前記バルブ位相可変機構１０を制御する。
【０１２８】
一方、ＳＴＥＰ１３の判断結果が肯定的である場合には、ＳＴＥＰ１４に進む。このＳＴＥＰ１４では、電子制御装置５０は、実駆動用吸気カムを切替えるように前記バルブリフト可変機構１１を制御する。すなわち、電子制御装置５０は、現在の実駆動用吸気カムが小リフト吸気カム１３Ｌである場合には、実駆動用吸気カムを小リフト吸気カム１３Ｌから大リフト吸気カム１３Ｈに切替えるようにバルブリフト可変機構１１を制御する。また、電子制御装置５０は、現在の実駆動用吸気カムが大リフト吸気カム１３Ｈである場合には、実駆動用吸気カムを大リフト吸気カム１３Ｈから小リフト吸気カム１３Ｌに切替えるようにバルブリフト可変機構１１を制御する。
【０１２９】
なお、本実施形態では、図１２のマップにおいて最遅角に対応する実効圧縮比Ｂａと、図１３のマップにおいて最遅角に対応する実効圧縮比Ｂｂは、Ｂａ＞Ｂｂとなるように設定されている。このため要求実効圧縮比の変化に対する実駆動用吸気カムの切り替えは、ヒステリシス特性で行なわれるようになっており、要求実効圧縮比がＢａ，Ｂｂの近辺で頻繁に増減しても、実駆動用吸気カムが頻繁に切替わることがないようにされている。
【０１３０】
次いでＳＴＥＰ１５に進んで、電子制御装置５０は、前記ＳＴＥＰ１２と同じ処理を実行し、ＶＴＣ角度の目標値を改めて設定する。なお、この場合、ＶＴＣ角度の目標値を設定するために用いるマップ（図１２又は図１３に示すマップ）は、ＳＴＥＰ１４での切替え後の実駆動用吸気カムが小リフト吸気カム１３Ｌと大リフト吸気カム１３Ｈとのいずれの吸気カムであるかに応じて選択される。
【０１３１】
次いで、電子制御装置５０は、前記したＳＴＥＰ１６の処理を実行し、実際のＶＴＣ角度を、設定したＶＴＣ角度の目標値に一致させるように前記バルブ位相可変機構１０を制御する。
【０１３２】
以上説明した図１１のフローチャートの処理が、前記ＳＴＥＰ４における実効圧縮比の制御処理の詳細である。
【０１３３】
補足すると、ＳＴＥＰ４の処理に関して説明した吸気バルブ駆動機構９の前記基準の動作状態は、ＳＴＥＰ１１で取得される要求実効圧縮比が、前記ＳＴＥＰ２で設定された目標値に一致する場合に、図１１のフローチャートの制御処理によって実現される吸気バルブ９の動作状態を意味する。
【０１３４】
電子制御装置５０は、内燃機関１の運転時に、以上説明した制御処理以外に、燃料噴射弁３３の燃料噴射量と、点火プラグ４０の点火時期とを制御するための処理も実行する。この場合、燃料噴射弁３３の燃料噴射量の制御処理では、電子制御装置５０は、前記流量センサ５２の検出信号から認識される空気流量Ｑの計測値と、前記圧力Ｐ２（スロットル弁７に流入する空気の圧力）の計測値と、内燃機関１の回転数ＮＥの計測値とから、あらかじめ設定されたマップ（図示省略）に基づいて、燃料噴射量の目標値を設定する。そして、電子制御装置５０は、設定した燃料噴射量の目標値に応じて、各気筒２毎の燃料噴射弁３３の開弁時間を制御することで、各燃料噴射弁３３の実際の燃料噴射量を目標値に制御する。
【０１３５】
また、点火プラグ４０の点火時期の制御処理では、電子制御装置５０は、空気流量Ｑの計測値と、前記圧力Ｐ２の計測値と、内燃機関１の回転数ＮＥの計測値とから、あらかじめ設定されたマップ（図示省略）に基づいて、点火時期の目標値を設定する。そして、電子制御装置５０は、各気筒２毎の点火プラグ４０の実際の点火時期を目標値に制御する。
【０１３６】
本実施形態では、以上の如く電子制御装置５０の制御処理が実行され、内燃機関１の運転が制御される。
【０１３７】
補足すると、本実施形態では、前記大リフト吸気カム１３Ｈ、小リフト吸気カム１３Ｌがそれぞれ、前記第１発明における第１の吸気カム、第２の吸気カムに相当する。
【０１３８】
また、電子制御装置５０は、第１発明における吸気カム切替制御手段、カム位相制御手段としての機能を含んでいる。この場合、吸気カム切替制御手段としての機能は、図１１のフローチャートの処理のうちのＳＴＥＰ１４の処理によって実現される。
【０１３９】
また、カム位相制御手段としての機能は、図１１のフローチャートの処理のうちのＳＴＥＰ１６の処理によって実現される。
【０１４０】
さらに、図３に示す位相角Ａ１が、第１発明における第１進角側開弁開始位相角及び第２進角側開弁位相角に相当し、図３に示す位相角Ａ２が、第１発明おける第１遅角側開弁開始位相角及び第２遅角側開弁位相角に相当する。
【０１４１】
また、図３の破線ｂ，ｃの状態に、吸気カム１３Ｈ，１３Ｌの位相角を制御した状態が、第１発明における特定状態に相当する。
【０１４２】
以上説明した本実施形態によれば、吸気バルブ８の動作状態（開弁期間の位相角及びリフト量）は、内燃機関１の負荷（要求トルク）に応じて次のように変化する。
【０１４３】
例えば内燃機関１の負荷が低負荷側から高負荷側に増加していく場合に関して説明すると、内燃機関１の負荷が比較的低い状態（要求トルクが小さい状態）では、実駆動用吸気カムとして小リフト吸気カム１３Ｌが使用される。そして、この小リフト吸気カム１３Ｌの位相角（ＶＴＣ角度）が、内燃機関１の負荷の増加に伴い、進角側から遅角側に連続的に変化する。
【０１４４】
このため、吸気バルブ８の動作状態は、図３の実線ａ側の状態から、破線ｂの状態に向って連続的に変化していく（図３の矢印Ｙ１を参照）。これにより、各気筒２の燃焼室３の実効圧縮比が増加していく。
【０１４５】
そして、小リフト吸気カム１３Ｌの位相角（ＶＴＣ角度）が最遅角まで遅角して、吸気バルブ８の動作状態が図３の破線ｂの状態まで到達すると、実駆動用吸気カムが小リフト吸気カム１３Ｌから大リフト吸気カム１３Ｈに切替えられる。この時、大リフト吸気カム１３Ｈの位相角（ＶＴＣ角度）も最遅角まで遅角しているので、吸気バルブ８の動作状態は、図３の破線ｂの状態から、破線ｃの状態に切替わり、リフト量が増加されると共に、開弁期間の角度幅が増加される（図３の矢印Ｙ２を参照）。
【０１４６】
この場合、ＶＴＣ角度が最遅角まで遅角した状態では、前記した如く、実駆動用吸気カムとして小リフト吸気カム１３Ｌを使用した場合と、大リフト吸気カム１３Ｈを使用した場合とのいずれの場合であっても、各気筒２の燃焼室３に充填される空気量（スロットル開度を一定とした場合の空気量）、ひいては、該燃焼室３の実効圧縮比が、互いに同一もしくはほぼ同一となる。
【０１４７】
このため、実駆動用吸気カムを切替えても、その切り替えの前後で、各気筒２の燃焼室３に充填される空気量は、ほぼ一定に保たれる。さらに、その切り替えの前後で、吸気カム１３Ｌ，１３Ｈの位相角の急激な変化が生じることもない。その結果、実駆動用吸気カムの切り替えによって、内燃機関１の出力トルクの不連続的な変動（ステップ状の変動）が発生することはなく、また、その切り替えを迅速に行なうことができる。
【０１４８】
実際、スロットル開度を一定にし、且つ、ＶＴＣ角度を最進角に制御した状態で内燃機関１の運転を行いながら、実駆動用吸気カムを小リフト吸気カム１３Ｌから大リフト吸気カム１３Ｈに切替えた場合（吸気バルブ８の動作状態を図３の破線ｂの状態から破線ｃの状態に切替えた場合）に、図１４の実線のグラフ（実施例のグラフ）で示す如く、内燃機関１の出力トルクが一定に保たれることが本願発明者の実験により確認された。
【０１４９】
なお、図１４の破線のグラフ（比較例のグラフ）は、ＶＴＣ角度を、例えば最進角に制御した状態で、実駆動用吸気カムを小リフト吸気カム１３Ｌから大リフト吸気カム１３Ｈに切替えた場合（吸気バルブ８の動作状態を図３の実線ａの状態から実線ｄの状態に切替えた場合）に得られたグラフであり、この場合には、実駆動用吸気カムの切り替えによって、内燃機関１の出力トルクのステップ状の変化が生じることが確認された。
【０１５０】
また、実駆動用吸気カムの切替えの直前における吸気バルブ８の開弁開始の位相角と切替えの直後における吸気バルブ８の開弁開始の位相角とは、いずれも上死点と下死点との間の位相角であるので、該切替えの前後において、吸気バルブ８の開弁期間で各気筒２の燃焼室３に空気と共に充填される排ガス（ＥＧＲ装置２５により還流された排ガス）の量が急変するようなことが無い。
【０１５１】
そして、本実施形態では、内燃機関１の負荷の増加によって、実駆動用吸気カムを大リフト吸気カム１３Ｈに切替えた後は、この大リフト吸気カム１３Ｈの位相角（ＶＴＣ角度）が、内燃機関１の負荷（要求トルク）の増加に伴い、遅角側から進角側に連続的に変化する。このため、吸気バルブ８の動作状態は、図３の破線ｃの状態から、実線ｄの状態に向って連続的に変化していく（図３の矢印Ｙ３を参照）。これにより、各気筒２の燃焼室３の実効圧縮比がさらに増加していく。
【０１５２】
以上のようにして、本実施形態では、内燃機関１の負荷が低負荷側から高負荷側に増加していくとき、吸気バルブ８の開弁期間で各気筒２の燃焼室３に充填される空気量、ひいては、実効圧縮比が、ステップ状に変化したりすることなく滑らかに増加していく。また、各気筒２の燃焼室３に充填される排ガスの量が実駆動要吸気カムの切替えの前後でステップ状に急変するようなことも防止される。
【０１５３】
この結果、内燃機関１の失火が発生したりすることなく、内燃機関１の出力トルクを滑らかに増加させていくことができる。
【０１５４】
また、内燃機関１の負荷が高負荷側から低負荷側に減少していく場合には、吸気バルブ８の動作状態の変化は、内燃機関１の負荷の増加の場合と逆になる。すなわち、内燃機関１の高負荷運転時には、大リフト吸気カム１３Ｈにより吸気バルブ８が開閉駆動されると共に、該吸気バルブ８の開弁期間の位相角が、内燃機関１の負荷の減少に伴い、図３の実線ｄ側の状態から、破線ｃの状態に向って遅角方向に変化する。
【０１５５】
そして、両吸気カム１３Ｌ，１３Ｈの位相角が、それぞれ、破線ｂ、ｃの状態に対応する最遅角に制御されれている状態で、実駆動用吸気カムが大リフト吸気カム１３Ｈから小リフト吸気カム１３Ｌに切替えられる。
【０１５６】
その後の内燃機関１の低負荷運転時には、小リフト吸気カム１３Ｌにより吸気バルブ８が開閉駆動されると共に、該吸気バルブ８の開弁期間の位相角が、内燃機関１の負荷の減少に伴い、図３の破線ｂの状態から、実線ａ側の状態に向って進角方向に変化する。
【０１５７】
これにより、内燃機関１の負荷が高負荷側から低負荷側に減少する場合であっても、該負荷が増加する場合と同様に、吸気バルブ８の開弁期間で各気筒２の燃焼室３に充填される空気量、ひいては、実効圧縮比が、ステップ状に変化したりすることなく滑らかに減少していく。また、各気筒２の燃焼室３に充填される排ガスの量が実駆動要吸気カムの切替えの前後でステップ状に急変するようなことも防止される。その結果、内燃機関１の失火が発生したりすることなく、内燃機関１の出力トルクを滑らかに減少させていくことができる。
【０１５８】
また、内燃機関１の負荷の増減に合せて、各気筒２の燃焼室３の実効圧縮比が増減するので、内燃機関１の負荷の変化に対するスロットル弁７を変化量を抑制することができ、ひいては、内燃機関１の幅広い負荷範囲において、該スロットル弁７の開度を大きめの開度に維持することができる。その結果、内燃機関１の熱効率を高め、燃料消費を抑制することができる。
【０１５９】
なお、本実施形態では、実駆動用吸気カムの切替え時における大リフト吸気カム１３Ｈによる吸気バルブ８の開弁開始の位相角（最も遅角側の位相角）と、小リフト吸気カム１３Ｌによる吸気バルブの開弁開始の位相角（最も遅角側の位相角）とを同一の位相角（図３のＡ２）としたが、それらの位相角が若干異なる位相角であってもよい。
【０１６０】
また、大リフト吸気カム１３Ｈによる吸気バルブ８の開弁開始の位相角の最も進角側の位相角と、大リフト吸気カム１３Ｈによる吸気バルブ８の開弁開始の位相角の最も進角側の位相角とが互いに異なる位相角に設定されていてもよい。
【０１６１】
［第２実施形態］
次に、本発明の第２実施形態を図１５〜図１７を参照しつつ説明する。なお、本実施形態は、第１実施形態と吸気バルブ駆動機構９に関する一部の構成及び制御処理だけが相違するものであるので、その相違点を中心に説明し、第１実施形態と同一の構成及び制御処理については説明を省略する。
【０１６２】
本実施形態における吸気バルブ駆動機構９においては、小リフト吸気カム１３Ｌと大リフト吸気カム１３Ｈのプロフィールが、第１実施形態のものと相違しており、これ以外の構成は第１実施形態のものと同じである。
【０１６３】
具体的には図１５を参照して、本実施形態では、大リフト吸気カム１３Ｈのプロフィールは、図１５の実線ｆで示す如く、吸気バルブ８の開弁期間の角度幅が、各気筒２のピストン１５の上死点の位相角と下死点の位相角との間の角度差（＝１８０deg）よりも大きく、例えば、２６０deg程度になるように設定されている。
【０１６４】
また、小リフト吸気カム１３Ｌのプロフィールは、図１５の実線ｇで示す如く、該小リフト吸気カム１３Ｌによる吸気バルブ８の開弁期間の角度幅が、大リフト吸気カム１３Ｈによる吸気バルブ８の開弁期間の角度幅よりも、上死点の位相角と下死点の位相角との間の角度差（＝１８０deg）により近い角度幅になるように設定されている。より詳しくは、小リフト吸気カム１３Ｌによる吸気バルブ８の開弁期間の角度幅は、例えば、上死点の位相角と下死点の位相角との間の角度差（＝１８０deg）よりも若干大きい角度幅（例えば２００deg程度）に設定されている。
【０１６５】
なお、本実施形態における小リフト吸気カム１３Ｌによる吸気バルブ８の最大リフト量は、第１実施形態における大リフト吸気カム１３Ｈによる吸気バルブ８の最大リフト量と同程度とされている。従って、本実施形態における大リフト吸気カム１３Ｌによる吸気バルブ８の最大リフト量は、第１実施形態における大リフト吸気カム１３Ｈによる吸気バルブ８の最大リフト量よりもさらに大きいリフト量とされている。
【０１６６】
そして、本実施形態においても、第１実施形態と同様に、吸気バルブ駆動機構１２のバルブリフト可変機構１１によって、吸気バルブ８の実際の開閉駆動を行なう実駆動用吸気カムを、小リフト吸気カム１３Ｌと大リフト吸気カム１３Ｈとのいずれか一方に選択的に切替えることができるようになっていると共に、バルブ位相可変機構１０によって、クランク軸１２の位相角に対する吸気カム１３Ｌ，１３Ｈの位相角（ひいては吸気バルブ８の開弁期間の位相角）を所定の範囲で連続的に変化させることができるようになっている。
【０１６７】
ここで、本実施形態において、吸気カム１３Ｌ，１３Ｈのプロフィールと、吸気カム１３Ｌ，１３Ｈの位相角の変化及び吸気カム１３Ｌ，１３Ｈの切り替えとによって実現される吸気バルブ８の開弁形態についてさらに詳細に説明する。
【０１６８】
本実施形態においては、吸気カム１３Ｌ，１３Ｈは、第１実施形態と同様に、吸気側カムシャフト１４と一体に回転するので、吸気カム１３Ｌ，１３Ｈの相互の位相関係、ひいては、それぞれの吸気カム１３Ｌ，１３Ｈによる吸気バルブ８の開弁期間の相互の位相関係は一定に保たれる。
【０１６９】
この場合、第１実施形態と同様に、吸気カム１３Ｌ，１３Ｈの相互の位相関係は、それぞれの吸気カム１３Ｌ，１３Ｈによる吸気バルブ８の開弁開始の位相角が互いに同じ位相角となるように設定されている（図１５の実線ｆ，ｇを参照）。
【０１７０】
そして、本実施形態では、吸気カム１３Ｌ，１３Ｈの位相角の変化（ひいては、各吸気カム１３Ｌ，１３Ｈによる吸気バルブ３の開弁期間の位相角の変化）は、大リフト吸気カム１３Ｈにより吸気バルブ８を開閉駆動する場合には、図１５の実線ｆで示す状態に対応する位相角と、図１５の破線ｅで示す状態に対応する位相角との間の範囲で行なわれるようになっている。また、小リフト吸気カム１３Ｌにより吸気バルブ８を開閉駆動する場合には、図１５の実線ｇで示す状態に対応する位相角と、図１５の破線ｈで示す状態に対応する位相角との間の範囲で行なわれるようになっている。
【０１７１】
図１５の実線ｆで示す状態での吸気バルブ８の開弁開始の位相角（大リフト吸気カム１３Ｈによる吸気バルブ８の開弁開始の位相角）と、実線ｇで示す状態での吸気バルブ８の開弁開始の位相角（小リフト吸気カム１３Ｌによる吸気バルブ８の開弁開始の位相角）とは互いに一致しており、これらの状態は、吸気カム１３Ｌ，１３Ｈの位相角を最も進角側の位相角（最進角）に制御した状態である。
【０１７２】
この状態での吸気バルブ８の開弁開始の位相角は、吸気カム１３Ｌ，１３Ｈのいずれについても、上死点よりも進角側の所定の位相角Ａ１１に設定されている。この位相角Ａ１１は、上死点の位相角から例えば４０deg程度、進角側の角度に設定されている。
【０１７３】
なお、吸気カム１３Ｌ，１３Ｈのそれぞれによる吸気バルブ８の開弁期間の角度幅と、図１５の実線ｆ，ｇで示す状態での吸気バルブ８の開弁開始の位相角Ａ１１とが前記した如く設定されているので、大リフト吸気カム１３Ｈに関する図１５の実線ｆで示す状態では、大リフト吸気カム１３Ｈによる吸気バルブ８の開弁終了の位相角は、下死点の位相角よりも遅角側の位相角（本実施形態では、下死点の位相角から４０deg程度、遅角側の位相角）となる。また、小リフト吸気カム１３Ｌに関する図１５の実線ｇで示す状態では、小リフト吸気カム１３Ｌによる吸気バルブ８の開弁終了の位相角は、下死点の位相角よりも進角側の位相角（本実施形態では、下死点の位相角から２０deg程度、進角側の位相角）となる。
【０１７４】
補足すると、吸気カム１３Ｌ，１３Ｈの位相角を最も進角側の位相角に制御した状態での大リフト吸気カム１３Ｈによる吸気バルブ８の開弁開始の位相角と、小リフト吸気カム１３Ｌによる吸気バルブ８の開弁開始の位相角とは厳密に一致している必要はなく、若干のずれがあってもよい。
【０１７５】
また、図１５の破線ｅで示す状態は、大リフト吸気カム１３Ｈにより吸気バルブ８を開閉駆動する場合において、該大リフト吸気カム１３Ｈの位相角を最も遅角側の位相角に制御した状態である。この状態では、大リフト吸気カム１３Ｈに開閉駆動される吸気バルブ８の開弁開始の位相角は、前記位相角Ａ１１よりも遅角側の位相角で、上死点の位相角と下死点の位相角との間の所定の位相角Ａ１３に設定されている。
【０１７６】
この位相角Ａ１３は、本実施形態では、図１５の実線ｆで示す状態での吸気バルブ８の開弁開始の位相角Ａ１１から例えば６０deg程度だけ遅角させた位相角に設定されている。
【０１７７】
なお、この状態では、大リフト吸気カム１３Ｈに開閉駆動される吸気バルブ８の開弁終了の位相角は、実線ｆの状態での開弁終了の位相角よりもさらに遅角した位相角となる。
【０１７８】
また、図１５の破線ｈで示す状態は、小リフト吸気カム１３Ｌにより吸気バルブ８を開閉駆動する場合において、該小リフト吸気カム１３Ｌの位相角を最も進角側の位相角に制御した状態である。この状態では、小リフト吸気カム１３Ｌにより開閉駆動される吸気バルブ８の開弁開始の位相角は、前記位相角Ａ１１よりも遅角側の所定の位相角Ａ１２に設定されている。
【０１７９】
この位相角Ａ１２は、本実施形態では、図１５の実線ｇで示す状態での吸気バルブ８の開弁開始の位相角Ａ１１から例えば３０deg程度だけ遅角させた位相角に設定されている。
【０１８０】
本実施形態では、以上の如く、吸気カム１３Ｌ，１３Ｈのプロフィールや、吸気バルブ８の開弁開始の位相角Ａ１１，Ａ１２，Ａ１３が設定されている。このため、吸気バルブ８を開閉駆動する実駆動用吸気カム１３Ｌ又は１３Ｈをバルブリフト可変機構１１により切り替え、あるいは、吸気カム１３Ｌ，１３Ｈの位相角をバルブ位相可変機構１０によって変化させる（ひいては吸気バルブ８の開弁形態のパターンを上記の如く変化させる）ことによって、第１実施形態の場合と同様に、各気筒２の燃焼室３に充填される空気量（詳しくは、ストッロル弁７の開度を一定とした場合の空気量）、ひいては、該燃焼室３の実効圧縮比を可変的に設定することが可能となっている。
【０１８１】
例えば、大リフト吸気カム１３Ｌにより吸気バルブ８を開閉駆動する場合に、図１５の破線ｅの状態での位相角（最も遅角側の位相角）から実線ｆの状態での位相角（最も進角側の位相角）に向って連続的に変化させることによって、各気筒２の燃焼室３に充填される空気量（スロットル開度を一定とした場合の空気量）が連続的に増加する。これにより、各気筒２の燃焼室３の実効圧縮比を連続的に増加させていくことができることとなる。
【０１８２】
より詳しくは、本実施形態では、大リフト吸気カム１３Ｈによる吸気バルブ８を開閉駆動時には、大リフト吸気カム１３Ｈの位相角を遅角側から進角側に変化させるに伴い、吸気バルブ８の開弁終了の位相角が、下死点の位相角よりも遅角側の範囲で該下死点の位相角に近づいていくようになっている。このため、大リフト吸気カム１３Ｈによる吸気バルブ８の開閉駆動時に、実効圧縮比が膨張比よりも小さくなるアトキンソンサイクル（ミラーサイクル）での内燃機関１の運転が実現される。同時に、大リフト吸気カム１３Ｈの位相角を遅角側から進角側に変化させることに伴い、各気筒２の燃焼室３に充填される上記空気量、ひいては、実効圧縮比が増加していくこととなる。
【０１８３】
また、小リフト吸気カム１３Ｌにより吸気バルブ８を開閉駆動する場合に、小リフト吸気カム１３Ｌの位相角を、図１５の実線ｇの状態での位相角（最も進角側の位相角）から破線ｈの状態での位相角（最も遅角側の位相角）に向って連続的に変化させることによって、各気筒２の燃焼室３に充填される空気量（スロットル開度を一定とした場合の空気量）が連続的に増加する。これにより、各気筒２の燃焼室３の実効圧縮比を連続的に増加させていくことができることとなる。
【０１８４】
より詳しくは、本実施形態では、小リフト吸気カム１３Ｌによる吸気バルブ８を開閉駆動時には、小リフト吸気カム１３Ｌの位相角を進角側から遅角側に変化させるに伴い、吸気バルブ８の開弁終了の位相角（Ａ１４）が、下死点の位相角よりも進角側の位相角から、該下死点の位相角に近づいていくようになっている。このため、小リフト吸気カム１３Ｌによる吸気バルブ８の開閉駆動時にも、実効圧縮比が膨張比よりも小さくなるアトキンソンサイクル（ミラーサイクル）での内燃機関１の運転が実現される。同時に、小リフト吸気カム１３Ｌの位相角を進角側から遅角側に変化させることに伴い、各気筒２の燃焼室３に充填される上記空気量、ひいては、実効圧縮比が増加していくこととなる。
【０１８５】
なお、図１５の破線ｈの状態では、吸気バルブ８の開弁開始及び開弁終了が、それぞれ上死点、下死点とほぼ同じ位相角で行なわれることとなることから、実効圧縮比が膨張比とほぼ同一となるオットーサイクルでの内燃機関１の運転が実現されることとなる。
【０１８６】
また、本実施形態では、吸気カム１３Ｌ，１３Ｈのそれぞれの位相角を最も進角側の位相角に制御した状態、すなわち、吸気カム１３Ｌ，１３Ｈによる吸気バルブ８の開弁期間が図１５の実線ｆ，ｇで示す開弁期間となる状態では、実駆動用吸気カムとして小リフト吸気カム１３Ｌを使用した場合と、大リフト吸気カム１３Ｈを使用した場合とのいずれの場合であっても、スロットル開度を一定とした場合に各気筒２の燃焼室３に充填される空気量、ひいては、該燃焼室３の実効圧縮比が、互いに同一もしくはほぼ同一となるように、吸気カム１３Ｌ，１３Ｈのプロフィールが設定されている。
【０１８７】
このため、吸気カム１３Ｌ，１３Ｈの位相角を、図１５の実線ｆ，ｇの状態に対応する最も進角側の位相角に制御した状態で、実駆動用吸気カムを吸気カム１３Ｌ，１３Ｈの一方から他方に切替えるようにすることで、実駆動用吸気カムの切り替え時に、各気筒２の燃焼室３に充填される空気量をほぼ一定に保つ（実効圧縮比をほぼ一定に保つ）ことができるようになっている。
【０１８８】
なお、本実施形態では、大リフト吸気カム１３Ｈを使用する場合よりも小リフト吸気カム１３Ｌを使用する場合の方が、実効圧縮比をより高めることができる。このため、大リフト吸気カム１３Ｈは、内燃機関１の低負荷運転時の実駆動用吸気カムとして使用され、小リフト吸気カム１３Ｌは、内燃機関１の高負荷運転時の実駆動用吸気カムとして使用される。
【０１８９】
本実施形態におけるシステム構成（内燃機関１及びこれに付帯するシステムの構成）は、以上説明した以外の構成は、第１実施形態と同じである。
【０１９０】
次に、本実施形態における電子制御装置５０の制御処理について説明する。
【０１９１】
本実施形態では、電子制御装置５０は、第１実施形態と同様に、図６のフローチャートに示す処理を実行することで、実効圧縮比、ＥＧＲ率、及びスロットル開度を制御すると共に、燃料噴射弁３３及び点火プラグ４０の動作を制御する。
【０１９２】
この場合、図６のＳＴＥＰ４における実効圧縮比に関する制御処理以外は、第１実施形態と同じである。
【０１９３】
そして、本実施形態では、図６のＳＴＥＰ４における実効圧縮比に関する制御処理では、電子制御装置５０は、図１１のフローチャートに示す処理を、図１２及び図１３に示したマップとは異なるマップを使用して実行する。
【０１９４】
さらに詳細には、本実施形態では、図１１のフローチャートのＳＴＥＰ１２、１５の処理が、図１６又は図１７に示すマップを使用して実行される。
【０１９５】
具体的には、本実施形態におけるＳＴＥＰ１２の処理では、電子制御装置５０は、ＳＴＥＰ１１で取得した現在のバルブリフト可変機構１１の動作状態（実駆動用吸気カムが、吸気カム１３Ｌ，１３Ｈのいずれであるかを示すもの）に応じて図１６及び図１７のいずれか一方のマップを選択し、そのマップを使用して、実駆動用吸気カム１３Ｌ又は１３Ｈの位相角としてのＶＴＣ角度の目標値を決定する。
【０１９６】
この場合、現在の実駆動用吸気カムが大リフト吸気カム１３Ｈである場合には、図１６のマップが使用され、ＳＴＥＰ１１で第１実施形態と同様に取得した要求実効圧縮比から、図１６のマップに基づいてＶＴＣ角度（大リフト吸気カム１３Ｈの位相角）の目標値を設定する。
【０１９７】
図１６に示すマップの傾向は、要求実効圧縮比が比較的低い側の領域（内燃機関１の低負荷領域）において、大リフト吸気カム１３ＨのＶＴＣ角度が、実効圧縮比の増加に伴い（内燃機関１の負荷の増加に伴い）、最も遅角側の位相角である最遅角（図１５の破線ｅの状態での大リフト吸気カム１３Ｈの位相角）から、最も進角側の位相角である最進角（図１５の実線ｆで示す状態での大リフト吸気カム１３Ｈの位相角）まで進角方向に変化していくように設定されている。
【０１９８】
また、現在の実駆動用吸気カムが小リフト吸気カム１３Ｌである場合には、図１７のマップが使用され、ＳＴＥＰ１１で第１実施形態と同様に取得した要求実効圧縮比から、図１７のマップに基づいてＶＴＣ角度（小リフト吸気カム１３Ｌの位相角）の目標値を設定する。
【０１９９】
図１７に示すマップの傾向は、要求実効圧縮比が比較的高い側の領域（内燃機関１の高負荷領域）において、小リフト吸気カム１３ＬのＶＴＣ角度が、要求実効圧縮比の増加に伴い（内燃機関１の負荷の増加に伴い）、最も進角側の位相角である最進角（図１５の実線ｇの状態での小リフト吸気カム１３Ｌの位相角）から、最も遅角側の位相角である最遅角（図１５の破線ｈで示す状態での小リフト吸気カム１３Ｌの位相角）まで遅角方向に変化していくように設定されている。
【０２００】
本実施形態におけるＳＴＥＰ１５の処理においても、上記したＳＴＥＰ１２の処理と同様に、図１６及び図１７のいずれかのマップを使用して、ＶＴＣ角度の目標値が設定される。この場合、使用するマップは、ＳＴＥＰ１４の処理によって変更された後の実駆動用吸気カムが、小リフト吸気カム１３Ｌと大リフト吸気カム１３Ｈのいずれであるかに応じて選択される。
【０２０１】
なお、本実施形態では、ＳＴＥＰ１３の判断結果は、現在の実駆動用吸気カムが大リフト吸気カム１３Ｈであり、且つ、要求実効圧縮比が図１６に示すＢｃよりも大きい場合と、現在の実駆動用吸気カムが小リフト吸気カム１３Ｌであり、且つ、要求実効圧縮比が図１７に示すＢｄよりも小さい場合とで肯定的となり、これら以外の場合では、否定的となる。
【０２０２】
なお、上記Ｂｃは、大リフト吸気カム１３Ｈの最進角（図１５の実線ｆの状態での位相角）に対応する要求実効圧縮比の値であり、上記Ｂｄは、小リフト吸気カム１３Ｌの最進角（図１５の実線ｇの状態での位相角）に対応する要求実効圧縮比の値である。そして、これらのＢｃ，Ｂｄは、Ｂｃ＞Ｂｄとなるように設定されている。このため要求実効圧縮比の変化に対する実駆動用吸気カムの切り替えは、第１実施形態と同様に、ヒステリシス特性で行なわれるようになっており、要求実効圧縮比がＢｃ，Ｂｄの近辺で頻繁に増減しても、実駆動用吸気カムが頻繁に切替わることがないようにされている。
【０２０３】
本実施形態では、以上説明した以外の電子制御装置５０の制御処理は、第１実施形態と同じである。
【０２０４】
補足すると、本実施形態では、前記大リフト吸気カム１３Ｈ、小リフト吸気カム１３Ｌがそれぞれ、第２発明における第１の吸気カム、第２の吸気カムに相当する。
【０２０５】
また、電子制御装置５０は、第２発明における吸気カム切替制御手段、カム位相制御手段としての機能を含んでいる。この場合、吸気カム切替制御手段としての機能は、図１１のフローチャートの処理のうちのＳＴＥＰ１４の処理によって実現される。
【０２０６】
また、カム位相制御手段としての機能は、図１１のフローチャートの処理のうちのＳＴＥＰ１６の処理によって実現される。
【０２０７】
さらに、図１５に示す位相角Ａ１１、Ａ１２、Ａ１３がそれぞれ、第２発明における進角側開弁開始位相角、第２遅角側開弁終了位相角、第１遅角側開弁終了位相角に相当する。
【０２０８】
また、図１５の実線ｆ，ｇの状態に、吸気カム１３Ｈ，１３Ｌの位相角を制御した状態が、本発明における特定状態に相当する。
【０２０９】
以上説明した本実施形態によれば、吸気バルブ８の動作状態（開弁期間の位相角及びリフト量）は、内燃機関１の負荷（要求トルク）に応じて次のように変化する。
【０２１０】
例えば内燃機関１の負荷が低負荷側から高負荷側に増加していく場合に関して説明すると、内燃機関１の負荷が比較的低い状態（要求トルクが小さい状態）では、実駆動用吸気カムとして大リフト吸気カム１３Ｈが使用される。そして、この大リフト吸気カム１３Ｈの位相角（ＶＴＣ角度）が、内燃機関１の負荷の増加に伴い、遅角側から進角側に連続的に変化する。
【０２１１】
このため、吸気バルブ８の動作状態は、図１５の破線ｅ側の状態から、実線ｆの状態に向って連続的に変化していく（図１５の矢印Ｙ３を参照）。これにより、各気筒２の燃焼室３の実効圧縮比が増加していく。
【０２１２】
そして、大リフト吸気カム１３Ｈの位相角（ＶＴＣ角度）が最進角まで進角して、吸気バルブ８の動作状態が図１５の実線ｆの状態まで到達すると、実駆動用吸気カムが大リフト吸気カム１３Ｈから小リフト吸気カム１３Ｌに切替えられる。この時、小リフト吸気カム１３Ｌの位相角（ＶＴＣ角度）も最進角まで進角しているので、吸気バルブ８の動作状態は、図１５の実線ｆの状態から、実線ｇの状態に切替わり、リフト量が減少されると共に、開弁期間の角度幅が減少される（図１５の矢印Ｙ４を参照）。
【０２１３】
この場合、ＶＴＣ角度が最進角まで進角した状態では、前記した如く、実駆動用吸気カムとして小リフト吸気カム１３Ｌを使用した場合と、大リフト吸気カム１３Ｈを使用した場合とのいずれの場合であっても、各気筒２の燃焼室３に充填される空気量（スロットル開度を一定とした場合の空気量）、ひいては、該燃焼室３の実効圧縮比が、互いに同一もしくはほぼ同一となる。
【０２１４】
このため、実駆動用吸気カムを切替えても、その切り替えの前後で、各気筒２の燃焼室３に充填される空気量は、ほぼ一定に保たれる。その結果、実駆動用吸気カムの切り替えによって、内燃機関１の出力トルクの不連続的な変動（ステップ状の変動）が発生することはない。
【０２１５】
また、実駆動用吸気カムの切替えの直前における吸気バルブ８の開弁開始の位相角と、切替えの直後における吸気バルブ８の開弁開始の位相角とは、上死点よりも進角側で互いにほぼ一致するような位相角（本実施形態では、同じ位相角Ａ１１）であるので、該切替えの前後において、吸気バルブ８の開弁期間で各気筒２の燃焼室３に空気と共に充填される排ガス（ＥＧＲ装置２５により還流された排ガスや吸気行程の直前の排気行程で燃焼室３から排出される排ガス）の量が急変するようなことが無い。
【０２１６】
そして、本実施形態では、内燃機関１の負荷の増加によって、実駆動用吸気カムを小リフト吸気カム１３Ｌに切替えた後は、この小リフト吸気カム１３Ｌの位相角（ＶＴＣ角度）が、内燃機関１の負荷（要求トルク）の増加に伴い、進角側から遅角側に連続的に変化する。このため、吸気バルブ８の動作状態は、図１５の実線ｇの状態から、破線ｈの状態に向って連続的に変化していく（図１５の矢印Ｙ５を参照）。これにより、各気筒２の燃焼室３の実効圧縮比がさらに増加していく。
【０２１７】
以上のようにして、本実施形態では、内燃機関１の負荷が低負荷側から高負荷側に増加していくとき、吸気バルブ８の開弁期間で各気筒２の燃焼室３に充填される空気量、ひいては、実効圧縮比が、ステップ状に変化したりすることなく滑らかに増加していく。また、各気筒２の燃焼室３に充填される排ガスの量が実駆動要吸気カムの切替えの前後でステップ状に急変するようなことも防止される。
【０２１８】
この結果、第１実施形態と同様に、内燃機関１の失火が発生したりすることなく、内燃機関１の出力トルクを滑らかに増加させていくことができる。
【０２１９】
また、内燃機関１の負荷が高負荷側から低負荷側に減少していく場合には、吸気バルブ８の動作状態の変化は、内燃機関１の負荷の増加の場合と逆になる。すなわち、内燃機関１の高負荷運転時には、小リフト吸気カム１３Ｈにより吸気バルブ８が開閉駆動されると共に、該吸気バルブ８の開弁期間の位相角が、内燃機関１の負荷の減少に伴い、図１５の破線ｈ側の状態から、実線ｇの状態に向って進角方向に変化する。
【０２２０】
そして、両吸気カム１３Ｌ，１３Ｈの位相角が、それぞれ、実線ｇ、ｆの状態に対応する最進角に制御されれている状態で、実駆動用吸気カムが小リフト吸気カム１３Ｌから大リフト吸気カム１３Ｈに切替えられる。
【０２２１】
その後の内燃機関１の低負荷運転時には、大リフト吸気カム１３Ｈにより吸気バルブ８が開閉駆動されると共に、該吸気バルブ８の開弁期間の位相角が、内燃機関１の負荷の減少に伴い、図１５の実線ｆの状態から、破線ｅ側の状態に向って遅角方向に変化する。
【０２２２】
これにより、内燃機関１の負荷が高負荷側から低負荷側に減少する場合であっても、該負荷が増加する場合と同様に、吸気バルブ８の開弁期間で各気筒２の燃焼室３に充填される空気量、ひいては、実効圧縮比が、ステップ状に変化したりすることなく滑らかに減少していく。また、各気筒２の燃焼室３に充填される排ガスの量が実駆動要吸気カムの切替えの前後でステップ状に急変するようなことも防止される。その結果、内燃機関１の失火が発生したりすることなく、内燃機関１の出力トルクを滑らかに減少させていくことができる。
【０２２３】
また、内燃機関１の負荷の増減に合せて、各気筒２の燃焼室３の実効圧縮比が増減するので、第１実施形態と同様に、内燃機関１の幅広い負荷範囲において、該スロットル弁７の開度を大きめの開度に維持することができ、ひいては、内燃機関１の熱効率を高め、燃料消費を抑制することができる。
【０２２４】
なお、以上説明した各実施形態では、内燃機関１の燃料としてガソリンを使用するものを例示したが、内燃機関１は、燃料として、例えばエタノール等の高オクタン価燃料を使用するもの、あるいは、エタノール等の高オクタン価燃料とガソリン等の低オクタン価燃料との混合燃料を使用するものであってもよい。そして、高オクタン価燃料と低オクタン価燃料との混合燃料を使用する内燃機関では、該内燃機関の各気筒の燃焼室に対する高オクタン価燃料と低オクタン価燃料との相互の供給割合を変化させることができるようにしてもよい。
【符号の説明】
【０２２５】
１…内燃機関、３…燃焼室、８…吸気バルブ、９…吸気バルブ駆動機構、１０…バルブ位相可変機構、１１…バルブリフト可変機構、１３Ｈ…大リフト吸気カム（第１の吸気バルブ）、１３Ｌ…小リフト吸気バルブ（第２の吸気バルブ）、５０…電子制御装置（吸気カム切替制御手段、カム位相制御手段）。
【図１】
2012172531.tif 000003
【図２】
2012172531.tif 000004
【図３】
2012172531.tif 000005
【図４】
2012172531.tif 000006
【図５】
2012172531.tif 000007
【図６】
2012172531.tif 000008
【図７】
2012172531.tif 000009
【図８】
2012172531.tif 000010
【図９】
2012172531.tif 000011
【図１０】
2012172531.tif 000012
【図１１】
2012172531.tif 000013
【図１２】
2012172531.tif 000014
【図１３】
2012172531.tif 000015
【図１４】
2012172531.tif 000016
【図１５】
2012172531.tif 000017
【図１６】
2012172531.tif 000018
【図１７】
2012172531.tif 000019